(57)【要約】      （修正有）【課題】利便性を向上させることが可能な情報読取装置および媒体処理装置を提供する。【解決手段】情報が記録されたシート状媒体が、第１の方向、および、第１の方向の反対方向である第２の方向へと搬送される搬送路と、第１および第２の方向と交差する第３の方向に沿った端部領域に固定配置され、シート状媒体から情報を読み取る第１の読取ヘッドと、搬送路において第３の方向に沿って移動可能に構成され、シート状媒体から情報を読み取る第２の読取ヘッドと、シート状媒体が搬送路において第１の方向へ搬送されているときに、シート状媒体における第３の方向に沿った長さを示す媒体長情報を検知する検知部と、第２の方向へ搬送されているときに、検知部において検知された媒体長情報に基づいて、第１および第２の読取ヘッドがそれぞれ、第３の方向に沿った両端付近に配置されることとなるように、第２の読取ヘッドの第３の方向への移動動作を制御する。【選択図】図１３
2018205795.tif 000002
【特許請求の範囲】
【請求項１】
情報が記録されたシート状媒体が、第１の方向、および、前記第１の方向の反対方向である第２の方向へと搬送される搬送路と、
前記搬送路における前記第１および第２の方向と交差する第３の方向に沿った端部領域に固定配置され、前記シート状媒体から前記情報を読み取る第１の読取ヘッドと、
前記搬送路において前記第３の方向に沿って移動可能に構成され、前記シート状媒体から前記情報を読み取る第２の読取ヘッドと、
前記シート状媒体が前記搬送路において前記第１の方向へ搬送されているときに、前記シート状媒体における前記第３の方向に沿った長さを示す媒体長情報を検知する検知部と、
前記シート状媒体が前記搬送路において前記第２の方向へ搬送されているときに、前記検知部において検知された前記媒体長情報に基づいて、前記第１および第２の読取ヘッドがそれぞれ、前記シート状媒体における前記第３の方向に沿った両端付近に配置されることとなるように、前記第２の読取ヘッドの前記第３の方向への移動動作を制御する制御部と
を備えた情報読取装置。
【請求項２】
前記制御部は、前記媒体長情報に基づいて求められる、前記第３の方向への移動量に従って、前記第２の読取ヘッドの前記第３の方向への移動動作を制御する
請求項１に記載の情報読取装置。
【請求項３】
前記制御部は、
前記検知部により検知された前記媒体長情報を記憶しておくと共に、
記憶されている前記媒体長情報に基づいて、前記第３の方向への移動量を求める
請求項２に記載の情報読取装置。
【請求項４】
前記制御部は、
前記検知部により検知された前記媒体長情報に基づいて、前記第３の方向への移動量を求めると共に、
求められた前記第３の方向への移動量の情報を記憶しておく
請求項２に記載の情報読取装置。
【請求項５】
前記第１および第２の読取ヘッドはそれぞれ、
前記シート状媒体が前記第１の方向へ搬送されるときに加えて、前記第２の方向へ搬送されるときにおいても、
前記シート状媒体における前記第３の方向に沿った両端付近に配置されることを利用して、前記シート状媒体から前記情報を読み取る
請求項１ないし請求項４のいずれか１項に記載の情報読取装置。
【請求項６】
前記シート状媒体に記録されている前記情報が、磁気情報であり、
前記シート状媒体における前記磁気情報に対して着磁を行うための着磁部材が、前記搬送路における前記第１および第２の読取ヘッドの上流側および下流側の双方に、更に設けられている
請求項５に記載の情報読取装置。
【請求項７】
複数の前記シート状媒体が前記搬送路を連続して搬送される場合、
前記検知部が、複数の前記シート状媒体ごとに、前記媒体長情報を検知すると共に、
前記制御部は、複数の前記シート状媒体ごとの前記媒体長情報に基づいて、前記第２の方向に連続して搬送される複数の前記シート状媒体ごとに、前記第２の読取ヘッドの前記第３の方向への移動動作を制御する
請求項１ないし請求項６のいずれか１項に記載の情報読取装置。
【請求項８】
前記制御部は、
前記検知部において検知された複数の前記シート状媒体ごとの前記媒体長情報に対応する複数の要素情報と、前記複数の要素情報についてのインデックス情報とを、関連付けて記憶しておくと共に、
記憶されている前記複数の要素情報および前記インデックス情報を用いて、前記第２の読取ヘッドの前記第３の方向への移動動作を制御する
請求項７に記載の情報読取装置。
【請求項９】
前記シート状媒体が、前記搬送路を前記第１の方向に沿って、前記第１および第２の読取ヘッドの下流側に配置された、テープ巻き取り方式のエスクロ部まで搬送されるように構成されており、
前記制御部は、
前記シート状媒体が、前記搬送路を前記第２の方向に沿って、前記テープ巻き取り方式のエスクロ部から搬送されてきたときに、
前記複数の要素情報をそれぞれ、記録された順序とは逆の順序に従って読み取って利用することで、前記第２の読取ヘッドの前記第３の方向への移動動作を制御する
請求項８に記載の情報読取装置。
【請求項１０】
前記検知部が、前記搬送路において、前記第１および第２の読取ヘッドよりも前記第１の方向に沿った上流側に配置されている
請求項１ないし請求項９のいずれか１項に記載の情報読取装置。
【請求項１１】
前記第３の方向が、前記第１および第２の方向と直交している
請求項１ないし請求項１０のいずれか１項に記載の情報読取装置。
【請求項１２】
情報が記録されたシート状媒体から前記情報を読み取る情報読取装置と、
前記シート状媒体に関する処理を行う媒体処理部と
を備え、
前記情報読取装置は、
前記シート状媒体が、第１の方向、および、前記第１の方向の反対方向である第２の方向へと搬送される搬送路と、
前記搬送路における前記第１および第２の方向と交差する第３の方向に沿った端部領域に固定配置され、前記シート状媒体から前記情報を読み取る第１の読取ヘッドと、
前記搬送路において前記第３の方向に沿って移動可能に構成され、前記シート状媒体から前記情報を読み取る第２の読取ヘッドと、
前記シート状媒体が前記搬送路において前記第１の方向へ搬送されているときに、前記シート状媒体における前記第３の方向に沿った長さを示す媒体長情報を検知する検知部と、
前記シート状媒体が前記搬送路において前記第２の方向へ搬送されているときに、前記検知部において検知された前記媒体長情報に基づいて、前記第１および第２の読取ヘッドがそれぞれ、前記シート状媒体における前記第３の方向に沿った両端付近に配置されることとなるように、前記第２の読取ヘッドの前記第３の方向への移動動作を制御する制御部と
を有する媒体処理装置。
【発明の詳細な説明】
【技術分野】
【０００１】
本開示は、シート状媒体に記録された情報を読み取る情報読取装置、および、そのような情報読取装置を備えた媒体処理装置に関する。
【背景技術】
【０００２】
例えば小切手等の媒体（シート状媒体）に関する各種処理を行う、媒体処理装置が普及している（例えば、特許文献１参照）。この種の装置では一般に、シート状媒体上に記録されている情報を読み取るための情報読取装置が設けられている。このような情報の記録方法としては、例えば、シート状媒体上に磁気テープを貼り付ける方法や、シート状媒体上に磁気インクを用いた文字を印刷する方法などが挙げられる。
【０００３】
また、磁気インクを用いる後者の方法の一例としては、例えば、ＭＩＣＲ（Magnetic Ink Character Recognition）方式が挙げられる。このＭＩＣＲ方式では、磁気インクを用いた特殊なフォントで表された文字（ＭＩＣＲ文字）がシート状媒体上に印刷されており、この文字を磁気ヘッド等の情報読取部（読取ヘッド）によって読み取るようになっている。
【先行技術文献】
【特許文献】
【０００４】
【特許文献１】米国特許第７８３２６３１号明細書
【発明の概要】
【発明が解決しようとする課題】
【０００５】
このような媒体処理装置における情報読取装置では一般に、利便性を向上させることが求められている。利便性を向上させることが可能な情報読取装置および媒体処理装置を提供することが望ましい。
【課題を解決するための手段】
【０００６】
本開示の一実施の形態に係る情報読取装置は、情報が記録されたシート状媒体が、第１の方向、および、この第１の方向の反対方向である第２の方向へと搬送される搬送路と、この搬送路における第１および第２の方向と交差する第３の方向に沿った端部領域に固定配置され、シート状媒体から情報を読み取る第１の読取ヘッドと、搬送路において第３の方向に沿って移動可能に構成され、シート状媒体から情報を読み取る第２の読取ヘッドと、シート状媒体が搬送路において第１の方向へ搬送されているときに、シート状媒体における第３の方向に沿った長さを示す媒体長情報を検知する検知部と、シート状媒体が搬送路において第２の方向へ搬送されているときに、検知部において検知された媒体長情報に基づいて、第１および第２の読取ヘッドがそれぞれ、シート状媒体における第３の方向に沿った両端付近に配置されることとなるように、第２の読取ヘッドの第３の方向への移動動作を制御する制御部とを備えたものである。
【０００７】
本開示の一実施の形態に係る媒体処理装置は、情報が記録されたシート状媒体から情報を読み取る情報読取装置と、シート状媒体に関する処理を行う媒体処理部とを備えたものである。上記情報読取装置は、シート状媒体が、第１の方向、および、この第１の方向の反対方向である第２の方向へと搬送される搬送路と、この搬送路における第１および第２の方向と交差する第３の方向に沿った端部領域に固定配置され、シート状媒体から情報を読み取る第１の読取ヘッドと、搬送路において第３の方向に沿って移動可能に構成され、シート状媒体から情報を読み取る第２の読取ヘッドと、シート状媒体が搬送路において第１の方向へ搬送されているときに、シート状媒体における第３の方向に沿った長さを示す媒体長情報を検知する検知部と、シート状媒体が搬送路において第２の方向へ搬送されているときに、検知部において検知された媒体長情報に基づいて、第１および第２の読取ヘッドがそれぞれ、シート状媒体における第３の方向に沿った両端付近に配置されることとなるように、第２の読取ヘッドの第３の方向への移動動作を制御する制御部とを有している。
【発明の効果】
【０００８】
本開示の一実施の形態に係る情報読取装置および媒体処理装置によれば、利便性を向上させることが可能となる。
【図面の簡単な説明】
【０００９】
【図１】本開示の一実施の形態に係る媒体処理装置の概略構成例を表す模式図である。
【図２】図１に示したシート状媒体の一例としての小切手の構成例を表す模式図である。
【図３】図１に示したスキャナ部の詳細構成例を表す模式側面図である。
【図４】図３に示したスキャナ部の構成例を表す模式上面図である。
【図５】実施の形態に係る媒体長情報（媒体幅情報）の一例を表す模式図である。
【図６】図４に示したスキャナ部における動作状態例を表す模式上面図である。
【図７】図４に示したスキャナ部における他の動作状態例を表す模式上面図である。
【図８】比較例に係る制御処理例を表す流れ図である。
【図９】比較例に係る他の制御処理例を表す流れ図である。
【図１０】比較例に係る動作状態例について説明するための模式上面図である。
【図１１】実施の形態に係る制御処理例を表す流れ図である。
【図１２】実施の形態に係る他の制御処理例を表す流れ図である。
【図１３】実施の形態に係る動作状態例について説明するための模式上面図である。
【図１４】変形例に係る移動量情報の一例を表す模式図である。
【発明を実施するための形態】
【００１０】
以下、本開示の実施の形態について、図面を参照して詳細に説明する。なお、説明は以下の順序で行う。
１．実施の形態（検知した媒体幅情報を記憶して利用する手法の例）
２．変形例（検知した媒体幅情報から求めた移動量の情報を記憶して利用する手法の例）
３．その他の変形例
【００１１】
＜１．実施の形態＞
［Ａ．小切手処理装置１全体の構成］
図１は、本開示の一実施の形態に係る媒体処理装置としての小切手処理装置１全体の概略構成例を、模式的に表したものである。小切手処理装置１は、例えば金融機関等に設置される自動取引装置（図示せず）の内部に組み込まれており、利用者（すなわち金融機関の顧客）との間で、小切手ＣＫの入金取引に関する各種処理を行う装置である。この小切手処理装置１は、本開示における「媒体処理装置」の一具体例に対応していると共に、小切手ＣＫは、本開示における「シート状媒体」の一具体例に対応している。
【００１２】
なお、上記した自動取引装置には、例えば、全体を統括的に制御する統括制御部や、利用者に向けて種々の情報を表示する表示部、利用者の操作指示を受け付けて統括制御部に通知する操作部等が設けられるようになっている。
【００１３】
ここで、例えば図２に示したように、上記した小切手ＣＫは、長方形の形状（矩形状）を有するシート状の媒体（紙葉状の媒体）である。具体的には、小切手ＣＫの短辺長は媒体幅Ｌ２（Ｗ）であり、長辺長は媒体長Ｌ３となっている。これらの媒体幅Ｌ２および媒体長Ｌ３については、それぞれ、規格により範囲が規定されているものの、この範囲内では複数種類のサイズのものが存在する。また、この小切手ＣＫの表面上には、金額等の情報を含む磁気情報Ｉｍが記録されている。この磁気情報Ｉｍは、例えば図２に示したように、小切手ＣＫにおける長辺上の端部（この例では下端）から距離Ｌ１（ｍｍ）だけ離れた領域付近において、小切手ＣＫの長手方向に沿って記録されている。この距離Ｌ１については、上記した媒体幅Ｌ２および媒体長Ｌ３とは異なり、規格により一意に規定されている。このような磁気情報Ｉｍは、本開示における「情報」および「磁気情報」の一具体例に対応している。
【００１４】
なお、本実施の形態では、この磁気情報Ｉｍの記録方法として、小切手ＣＫ上に磁気インクを利用した文字（磁気インク文字）を印刷する方法が採用されている。この磁気インク文字を利用した記録方法の一例としては、例えば、前述したＭＩＣＲ方式が挙げられる。このＭＩＣＲ方式では、後述する磁気ヘッド等の情報読取部（読取ヘッド）を用いて、記録された磁気インク文字が読み取られるようになっている。
【００１５】
本実施の形態の小切手処理装置１は、図１に示したように、バンドル部１０Ａと、搬送路Ｐ１，Ｐ２，Ｐ３と、アライナ部１０Ｂと、スキャナ部１１と、エスクロ部１２と、リトラクト部１３と、スタッカ部１４１，１４２と、切替部１５１，１５２と、制御部１６とを備えている。なお、これらの各部材（小切手ＣＫに関する種々の媒体処理を行う複数の処理ユニット）は、図１に示したように、全体として直方体状に形成されたフレーム１００内に収容されている。
【００１６】
（バンドル部１０Ａ）
バンドル部１０Ａは、図１に示したように、受入口１０Ａ１および分離部１０Ａ２を有している。
【００１７】
受入口１０Ａ１は、利用者から挿入方向ｄ０に沿って挿入された小切手ＣＫの束（束小切手ＣＫＢ）を受け入れる部分であり、例えば開閉可能なシャッタ等を含んで構成されている。なお、この際に束小切手ＣＫＢは、その長手方向を挿入方向ｄ０として、受入口１０Ａ１に挿入されるようになっている。
【００１８】
分離部１０Ａ２は、受入口１０Ａ１から挿入されて搬送されてきた束小切手ＣＫＢについて、１枚ずつの小切手ＣＫに分離する処理を行う部分である。なお、このようにして１枚ずつに分離された複数枚の小切手ＣＫはそれぞれ、連続して搬送されるようになっている。
【００１９】
（搬送路Ｐ１，Ｐ２，Ｐ３）
搬送路Ｐ１は、バンドル部１０Ａ内の受入口１０Ａ１から分離部１０Ａ２およびアライナ部１０Ｂを経由してスキャナ部１１へ向けて、図１に示した搬送方向ｄ１に沿って、束小切手ＣＫＢおよび小切手ＣＫを搬送する経路である。
【００２０】
搬送路Ｐ２は、搬送路Ｐ１とエスクロ部１２との間を繋ぐ搬送路である。具体的には、搬送路Ｐ１の後方からスキャナ部１１を経由してエスクロ部１２へ向けて、図１に示した搬送方向ｄ２１に沿って、この搬送路Ｐ２上を小切手ＣＫが搬送されるようになっている。また、エスクロ部１２からスキャナ部１１を経由して搬送路Ｐ３（後述する切替部１５１）へ向けて、図１に示した搬送方向ｄ２２（搬送方向ｄ２１の反対方向）に沿って、搬送路Ｐ２上を小切手ＣＫが搬送されるようになっている。
【００２１】
なお、この搬送路Ｐ２は、本開示における「搬送路」の一具体例に対応している。また、上記した搬送方向ｄ２１は、本開示における「第１の方向」の一具体例に対応しており、搬送方向ｄ２２は、本開示における「第２の方向」の一具体例に対応している。
【００２２】
搬送路Ｐ３は、搬送路Ｐ２（切替部１５１）から搬送方向ｄ３に沿って搬送されてきた小切手ＣＫを、スタッカ部１４１またはスタッカ部１４２へ向けて搬送する経路である。なお、詳細は後述するが、この搬送路Ｐ３上には、リトラクト部１３が配置されている。
【００２３】
これらの搬送路Ｐ１，Ｐ２，Ｐ３上には、例えば、搬送ベルトや搬送ガイド、搬送ローラ、アクチュエータ、各種センサ等が設けられることで、搬送機構が構成されている。このような搬送機構により、搬送路Ｐ１，Ｐ２，Ｐ３上をそれぞれ、束小切手ＣＫＢや小切手ＣＫが搬送されるようになっている。
【００２４】
（アライナ部１０Ｂ）
アライナ部１０Ｂは、バンドル部１０Ａから搬送されてきた各小切手ＣＫについて、搬送路Ｐ１上における所定の幅寄せ処理を行う部分である。具体的には、このアライナ部１０Ｂは、搬送路Ｐ１上において後述する所定の基準面Ｓ１側に各小切手ＣＫが幅寄せされるよう、幅寄せ処理を行うようになっている。
【００２５】
（スキャナ部１１）
スキャナ部１１は、搬送路Ｐ１から後述する切替部１５１を経由して搬送路Ｐ２上を搬送方向ｄ２１に沿って搬送されてきた各小切手ＣＫについて、所定の撮像動作を行う部分である。具体的には、このスキャナ部１１は、各小切手ＣＫの両面（表面および裏面）をそれぞれ撮像して画像データを生成すると共に、各小切手ＣＫから前述した磁気情報Ｉｍを読み取るようになっている。このようにして得られた画像データおよび磁気情報Ｉｍの読み取り結果はそれぞれ、後述する制御部１６へと供給されるようになっている。なお、搬送路Ｐ２上を搬送方向ｄ２２に沿ってエスクロ部１２から搬送されてきた小切手ＣＫについては、上記した撮像動作による画像データの生成等は行われる一方、例えば、上記した磁気情報Ｉｍの読み取り動作は行われないようにしてもよい。このようなスキャナ部１１の詳細構成例については、後述する（図３，図４）。
【００２６】
（エスクロ部１２）
エスクロ部１２は、スキャナ部１１を経由して搬送路Ｐ２上を搬送方向ｄ２１に沿って搬送されてきた各小切手ＣＫを、一時的に保留（収納）しておく部分である。エスクロ部１２は、図１に示したように、搬送路Ｐ２上の搬送方向ｄ２１に沿って、スキャナ部１１（後述する磁気ヘッド１１６）の下流側（後方側）に配置されている。また、このエスクロ部１２は、回転可能に構成されたドラム１２０と、このドラム１２０の周側面に巻き付けられるテープ等とを有している。そして、このテープとともに、搬送されてきた各小切手ＣＫがドラム１２０の周側面上に順次巻き付けられることで、複数枚の小切手ＣＫがそれぞれ、エスクロ部１２内に一時的に保留されるようになっている。
【００２７】
すなわち、この例ではエスクロ部１２は、いわゆるテープ巻き取り方式のエスクロ部となっている。換言すると、このエスクロ部１２は、本開示における「テープ巻き取り方式のエスクロ部」の一具体例に対応している。
【００２８】
（リトラクト部１３）
リトラクト部１３は、後述する小切手ＣＫの返却処理（エスクロ部１２から受入口１０Ａ１への小切手ＣＫの返却処理）後において、所定時間が経過してもその小切手ＣＫが利用者によって取り出されない場合に、その小切手ＣＫを収納しておく部分である。具体的には図１に示したように、そのような所定の場合において、受入口１０Ａ１から搬送路Ｐ１および後述する切替部１５１，１５２を介して搬送されてきた小切手ＣＫが、搬送方向ｄ４に沿ってリトラクト部１３内に収納されるようになっている。
【００２９】
（スタッカ部１４１，１４２）
スタッカ部１４１，１４２はそれぞれ、スキャナ部１１および切替部１５１，１５２を経由して搬送路Ｐ３上を搬送方向ｄ３に沿って搬送されてきた各小切手ＣＫを、その内部に集積した状態で収納する部分である。これらのスタッカ部１４１，１４２は、この例では図１に示したように、搬送路Ｐ３に沿って互いに直列的に配置されている。スタッカ部１４１，１４２はそれぞれ、内部に多数の小切手ＣＫを集積した状態で収納可能なスタッカと、このスタッカ内に搬送されてきた小切手ＣＫを放出する放出機構等とを有している。
【００３０】
なお、図１に示した例では、このようなスタッカ部が２つ（スタッカ部１４１，１４２）設けられているが、この例には限られず、小切手処理装置１内にスタッカ部が１つだけ設けられているようにしたり、３つ以上のスタッカ部が設けられているようにしてもよい。
【００３１】
（切替部１５１，１５２）
切替部１５１，１５２はそれぞれ、例えば図１中の実線の矢印で示したように回転動作を行うことにより、小切手ＣＫの搬送路の切り替え動作を行う部分である。
【００３２】
具体的には、切替部１５１は、搬送路Ｐ１上を搬送方向ｄ１に沿って搬送されてきた小切手ＣＫが、搬送路Ｐ２上を搬送方向ｄ２１に沿って搬送されるように、切り替え動作を行う。また、切替部１５１は、搬送路Ｐ２上を搬送方向ｄ２２に沿って搬送されてきた小切手ＣＫが、搬送路Ｐ３上を搬送方向ｄ３に沿って搬送されるように、切り替え動作を行う。
【００３３】
一方、切替部１５２は、搬送路Ｐ３上を搬送方向ｄ３に沿って搬送されてきた小切手ＣＫが、前述した所定の場合に、搬送方向ｄ４に沿って搬送されるように切り替え動作を行う。これにより、小切手ＣＫがリトラクト部１３内に収納されるようになっている。
【００３４】
（制御部１６）
制御部１６は、小切手処理装置１における全体の動作を制御する部分であり、前述した自動取引装置における統括制御部と連携しながら、そのような制御を行うようになっている。具体的には、制御部１６は、例えば、上記した切替部１５１，１５２による搬送路の切り替え動作や、各搬送路Ｐ１，Ｐ２，Ｐ３上における搬送ベルトや搬送ローラ等による搬送動作、スキャナ部１１内での前述した磁気情報Ｉｍの読み取り動作や撮像動作等の制御を行う。また、制御部１６は、例えば、前述した受入口１０による束小切手ＣＫＢの受け入れ動作や、分離部１０Ａ２による小切手ＣＫの分離動作、アライナ部１０Ｂによる小切手ＣＫの幅寄せ動作、エスクロ部１２による小切手ＣＫの一時的な保留動作、リトラクト部１３およびスタッカ部１４１，１４２による小切手ＣＫの収納動作等の制御も行う。
【００３５】
更に、制御部１６は、後述する所定の情報（媒体幅情報Ｉｗ）を用いて、後述する磁気ヘッド（可動磁気ヘッド２１Ｂ）の移動動作を制御するようになっている。なお、このような制御部１６による制御処理（磁気ヘッドの移動動作の制御処理等）の詳細については、後述する。
【００３６】
このような制御部１６は、ＣＰＵ（Central Processing Unit）を中心に構成されており、マイクロコンピュータとして機能するようになっている。具体的には、制御部１６は、ＲＯＭ（Read Only Memory）やフラッシュメモリ等から、所定のプログラムを読み出して実行することにより、小切手ＣＫの入金取引に関する各種処理を行うようになっている。また、制御部１６は、その内部に、ＲＡＭ（Random Access Memory）、ハードディスクドライブやフラッシュメモリ等からなる記憶部を有している。この記憶部には、各種プログラムや、入金取引に関する各種の情報（図１に示したように、後述する媒体幅情報Ｉｗ等）が記憶されるようになっている。
【００３７】
［Ｂ．スキャナ部１１の詳細構成］
次に、図３および図４を参照して、前述したスキャナ部１１の詳細構成例について説明する。図３は、このスキャナ部１１の詳細構成例を、側面図（Ｚ−Ｘ側面図）にて模式的に表したものである。図４は、スキャナ部１１の詳細構成例を、上面図（Ｘ−Ｙ上面図）にて模式的に表したものである。
【００３８】
スキャナ部１１は、図３および図４に示したように、一対の搬送ガイド１１０ｕ，１１０ｄと、５つの搬送ローラ対１１１Ａ，１１１Ｂ，１１１Ｃ，１１１Ｄ，１１１Ｅと、磁気トリガセンサ１１５Ａと、印字トリガセンサ１１５Ｂとを備えている。このスキャナ部１１はまた、磁気ヘッド１１６（固定磁気ヘッド２１Ａおよび可動磁気ヘッド２１Ｂ）を含む情報読取機構２と、一対の撮像部１１７ｕ，１１７ｄと、一対の固定磁石１１８Ａ，１１８Ｂと、スタンプ押印部１１９Ａと、プリンタ１１９Ｂとを備えている。
【００３９】
（搬送ガイド１１０ｕ，１１０ｄ）
搬送ガイド１１０ｕ，１１０ｄはそれぞれ、図３に示したように、Ｚ軸方向に沿って互いに対向するようにして固定配置されており、Ｘ軸方向（小切手ＣＫの搬送方向ｄ２１，ｄ２２）に沿って延在する平板状の部材である。具体的には、搬送ガイド１１０ｕは、相対的に上方向（Ｚ軸上の正方向側）に配置されており、搬送ガイド１１０ｄは、相対的に下方向（Ｚ軸上の負方向側）に配置されている。図３に示したように、これら搬送ガイド１１０ｕ，１１０ｄの間の空間に、Ｘ軸方向に沿って延在する搬送路Ｐ２が形成されるようになっている。このような搬送ガイド１１０ｕ，１１０ｄはそれぞれ、小切手ＣＫのＸ軸方向（搬送方向ｄ２１，ｄ２２）への搬送を案内する、案内部材として機能するものである。
【００４０】
ここで、図４に示したように、搬送ガイド１１０ｕには、後述する磁気ヘッド１１６（固定磁気ヘッド２１Ａおよび可動磁気ヘッド２１Ｂ）の配置領域および可動領域付近に、Ｚ軸方向（厚み方向）に沿って貫通する開口Ａ１が形成されている。
【００４１】
また、この搬送ガイド１１０ｕ（搬送路Ｐ２）における幅方向（Ｙ軸方向）の一端側には、図４に示したように、所定の基準面Ｓ１を規定する基準面ガイド１１０Ｓが設けられている。前述したアライナ部１０Ｂにおいて幅寄せ処理が行われた各小切手ＣＫは、搬送路Ｐ２上において、この基準面Ｓ１（基準面ガイド１１０Ｓ）側に幅寄せされた状態で、搬送されるようになっている。
【００４２】
（搬送ローラ対１１１Ａ，１１１Ｂ，１１１Ｃ，１１１Ｄ，１１１Ｅ）
搬送ローラ対１１１Ａ，１１１Ｂ，１１１Ｃ，１１１Ｄ，１１１Ｅは、搬送路Ｐ２（搬送ガイド１１０ｕ，１１０ｄ）に沿った離散的な位置に配置されている。これらの搬送ローラ対１１１Ａ，１１１Ｂ，１１１Ｃ，１１１Ｄ，１１１Ｅはそれぞれ、図３に示したように、搬送路Ｐ２を介して互いに対向配置された、駆動ローラ１１２および従動ローラ１１３により構成されている。また、各従動ローラ１１３は、スプリング１１４によって駆動ローラ１１２の方向へと付勢されている。このような構成により、搬送ローラ対１１１Ａ，１１１Ｂ，１１１Ｃ，１１１Ｄ，１１１Ｅはそれぞれ、搬送路Ｐ２上において、搬送方向ｄ２１または搬送方向ｄ２２に沿って、小切手ＣＫを搬送させるようになっている。
【００４３】
（磁気トリガセンサ１１５Ａおよび印字トリガセンサ１１５Ｂ）
磁気トリガセンサ１１５Ａは、図３に示したように、搬送路Ｐ２に沿って搬送ローラ対１１１Ｃと磁気ヘッド１１６（後述する情報読取機構２）との間の位置に配置されており、光学センサを用いて構成されている。具体的には、所定の検知光を発する発光素子と、この検知光を受光する受光素子とが、搬送路Ｐ２を挟んでＺ軸方向に沿って個別に配置されることで、磁気トリガセンサ１１５Ａが構成されている。このような受光素子による検知光の受光結果は、受光信号として制御部１６へと供給されるようになっている。そして、制御部１６は、後述する入金読取処理の実行中に、検知光が受光されなくなった旨の受光結果を受け取ったときには、搬送方向ｄ２１に沿って小切手ＣＫの先端が搬送されてきたことで検知光の光路が遮られたと判断し、後述する磁気ヘッド１１６による磁気情報Ｉｍの読み取り動作を開始させる。一方、制御部１６は、検知光が再び受光された旨の受光結果を受け取ったときには、小切手ＣＫの末端が通過したことで検知光の光路が遮られなくなったと判断し、磁気ヘッド１１６による磁気情報Ｉｍの読み取り動作を終了させるようになっている。
【００４４】
印字トリガセンサ１１５Ｂは、図３に示したように、搬送路Ｐ２に沿って、後述するプリンタ１１９Ｂと搬送ローラ対１１１Ｅとの間の位置に配置されており、上記した磁気トリガセンサ１１５Ａと同様の光学センサを用いて構成されている。制御部１６は、後述する収納処理の実行中に、検知光が受光されなくなった旨の受光結果を受け取ったときには、搬送方向ｄ２２に沿って小切手ＣＫの先端が搬送されてきたことで検知光の光路が遮られたと判断し、以下の動作を行わせる。すなわち、制御部１６は、後述するプリンタ１１９Ｂによる小切手ＣＫ上への印字動作や、後述するスタンプ押印部１１９Ａによる小切手ＣＫ上への押印動作を行わせるようになっている。
【００４５】
（磁気ヘッド１１６）
磁気ヘッド１１６は、搬送路Ｐ２上を搬送される小切手ＣＫから磁気情報Ｉｍを読み取る素子であり、図３に示したように、搬送路Ｐ２に沿って、磁気トリガセンサ１１５Ａと搬送ローラ対１１１Ｄとの間の位置に配置されている。具体的には、この例では、磁気ヘッド１１６は、搬送路Ｐ２の下方（搬送ガイド１１０ｄ側の位置）に配置されている。また、この例では磁気ヘッド１１６は、後述する固定磁気ヘッド２１Ａおよび可動磁気ヘッド２１Ｂの、２種類の磁気ヘッドにより構成されている。これらのうちの可動磁気ヘッド２１Ｂは、詳細は後述するが、図３に示した駆動部２３によってその移動動作が制御されるようになっている。換言すると、この駆動部２３は、可動磁気ヘッド２１Ｂを移動させる動作を行う。このような磁気ヘッド１１６は、その上面の一部を小切手ＣＫに当接させることによって、この小切手ＣＫに記録されている磁気情報Ｉｍの読み取りを行うようになっている。また、磁気ヘッド１１６（固定磁気ヘッド２１Ａおよび可動磁気ヘッド２１Ｂ）はそれぞれ、小切手ＣＫが搬送路Ｐ２上で停止された状態ではなく、小切手ＣＫが搬送路Ｐ２上を搬送されている状態で、そのような磁気情報Ｉｍの読み取りを行うようになっている。なお、このようにして得られた磁気情報Ｉｍの読み取り結果は、前述したように、制御部１６へと供給されるようになっている。
【００４６】
なお、図３に示したように、このような磁気ヘッド１１６（固定磁気ヘッド２１Ａおよび可動磁気ヘッド２１Ｂ）の周辺部分において、磁気ヘッド１１６および駆動部２３などを含むようにして、後述する情報読取機構２が構成されるようになっている。
【００４７】
（撮像部１１７ｕ，１１７ｄ）
撮像部１１７ｕ，１１７ｄはそれぞれ、図３に示したように、搬送路Ｐ２に沿って搬送ローラ対１１１Ａ，１１１Ｂの間の位置に配置されている。具体的には、撮像部１１７ｕは、搬送路Ｐ２の上方（搬送ガイド１１０ｕ側の位置）に配置されていると共に、撮像部１１７ｄは、搬送路Ｐ２の下方（搬送ガイド１１０ｄ側の位置）に配置されている。撮像部１１７ｕは、搬送路Ｐ２上を搬送されてきた小切手ＣＫについて、その表面（搬送ガイド１１０ｕ側の面）を撮像することで、画像データを生成するものである。一方、撮像部１１７ｄは、搬送路Ｐ２上を搬送されてきた小切手ＣＫについて、その裏面（搬送ガイド１１０ｄ側の面）を撮像することで、画像データを生成するものである。なお、このようにして得られた画像データは、前述したように、制御部１６へと供給されるようになっている。
【００４８】
ここで、これらの撮像部１１７ｕ，１１７ｄのうちの撮像部１１７ｕはまた、このような小切手ＣＫの撮像動作を利用して、その小切手ＣＫにおけるＹ軸方向に沿った長さ（図２に示した媒体幅Ｌ２）を示す媒体幅情報Ｉｗを検知する（取得する）機能を有している。具体的には、この撮像部１１７ｕは、小切手ＣＫが搬送路Ｐ２上を搬送方向ｄ２１に沿って搬送されているとき（後述する入金読取処理時）に、このような媒体幅情報Ｉｗを検知するようになっている。また、図３および図４に示したように、この例では撮像部１１７ｕは、搬送路Ｐ２上において、磁気ヘッド１１６（固定磁気ヘッド２１Ａおよび可動磁気ヘッド２１Ｂ）よりも搬送方向ｄ２１に沿った上流側（前方側）に配置されている。
【００４９】
なお、このような撮像部１１７ｕは、本開示における「検知部」の一具体例に対応している。
【００５０】
（固定磁石１１８Ａ，１１８Ｂ）
固定磁石１１８Ａは、図４に示したように、搬送路Ｐ２に沿って搬送ローラ対１１１Ｂ，１１１Ｃの間の位置に配置されている。固定磁石１１８Ｂは、図３および図４に示したように、搬送路Ｐ２に沿って、搬送ローラ対１１１Ｄとスタンプ押印部１１９Ａとの間の位置に配置されている。これらの固定磁石１１８Ａ，１１８Ｂはそれぞれ、搬送路Ｐ２の上方（搬送ガイド１１０ｕ側の位置）に配置されており、小切手ＣＫにおける磁気情報Ｉｍに対して着磁を行うための部材（素子）である。
【００５１】
具体的には、固定磁石１１８Ａは、搬送路Ｐ２上を搬送方向ｄ２１に沿って搬送されてきた小切手ＣＫに対して、そのような着磁を行うようになっている。一方、固定磁石１１８Ｂは、搬送路Ｐ２上を搬送方向ｄ２２に沿って搬送されてきた小切手ＣＫに対して、そのような着磁を行うようになっている。このような固定磁石１１８Ａ，１１８Ｂがそれぞれ、搬送路Ｐ２上における磁気ヘッド１１６（固定磁気ヘッド２１Ａおよび可動磁気ヘッド２１Ｂ）の上流側および下流側の双方に設けられていることで、以下のようになっている。すなわち、小切手ＣＫが搬送方向ｄ２１に沿って搬送されているときと、搬送方向ｄ２２に沿って搬送されているときとの双方の搬送時において、磁気ヘッド１１６による磁気情報Ｉｍの読み取り動作が実現可能となっている。
【００５２】
なお、このような固定磁石１１８Ａ，１１８Ｂはそれぞれ、本開示における「着磁部材」の一具体例に対応している。
【００５３】
（スタンプ押印部１１９Ａおよびプリンタ１１９Ｂ）
スタンプ押印部１１９Ａは、図３および図４に示したように、搬送路Ｐ２に沿って、固定磁石１１８Ａとプリンタ１１９Ｂとの間の位置に配置されている。具体的には、この例では、スタンプ押印部１１９Ａは、搬送路Ｐ２の下方（搬送ガイド１１０ｄ側の位置）に配置されている。このスタンプ押印部１１９Ａは、制御部１６による制御に基づき、搬送路Ｐ２上を搬送されてきた小切手ＣＫ上に、所定の文字や記号等を表すスタンプを押印するようになっている。
【００５４】
プリンタ１１９Ｂは、図３に示したように、搬送路Ｐ２に沿って、スタンプ押印部１１９Ａと印字トリガセンサ１１５Ｂとの間の位置に配置されている。具体的には、この例では、プリンタ１１９Ｂは、搬送路Ｐ２の上方（搬送ガイド１１０ｕ側の位置）に配置されている。このプリンタ１１９Ｂは、制御部１６による制御に基づき、搬送路Ｐ２上を搬送されてきた小切手ＣＫ上に、取引結果等の内容を表す文字や記号等を印刷するようになっている。
【００５５】
［Ｃ．情報読取機構２の構成］
続いて、図３および図４を参照して、前述した情報読取機構２の詳細構成例について説明する。
【００５６】
この情報読取機構２は、小切手ＣＫから磁気情報Ｉｍを読み取る動作を行う機構である。この情報読取機構２は、図３および図４に示したように、搬送ガイド１１０ｕ，１１０ｄ（搬送路Ｐ２）と共に、固定磁気ヘッド２１Ａ、可動磁気ヘッド２１Ｂ、可動搬送ガイド２２Ｂおよび駆動部２３を有している。
【００５７】
（固定磁気ヘッド２１Ａ）
固定磁気ヘッド２１Ａは、前述したように、小切手ＣＫに記録されている磁気情報Ｉｍを読み取る素子であり、以下説明する可動磁気ヘッド２１Ｂとは異なり、小切手ＣＫの搬送路Ｐ２の幅方向（Ｙ軸方向）に沿って固定配置されている。具体的には、この例では図４に示したように、固定磁気ヘッド２１Ａは、搬送路Ｐ２の幅方向（Ｙ軸方向）に沿った端部領域（前述した基準面Ｓ１側の領域）に、固定配置されている。この基準面Ｓ１側の領域に固定磁気ヘッド２１Ａが配置されているのは、前述したアライナ部１０Ｂにおいて小切手ＣＫが基準面Ｓ１側への幅寄せ処理がなされた状態で、小切手ＣＫが搬送路Ｐ２上を搬送されてくるためである。
【００５８】
なお、この固定磁気ヘッド２１Ａは、本開示における「第１の読取ヘッド」の一具体例に対応している。
【００５９】
（可動磁気ヘッド２１Ｂ）
可動磁気ヘッド２１Ｂもまた、前述したように、固定磁気ヘッド２１Ａと共に、小切手ＣＫに記録されている磁気情報Ｉｍを読み取る素子である。ただし、この可動磁気ヘッド２１Ｂは、上記した固定磁気ヘッド２１Ａとは異なり、移動可能な素子である。具体的には、この例では図４に示したように、可動磁気ヘッド２１Ｂは、小切手ＣＫの搬送方向ｄ２１，ｄ２２（Ｘ軸方向）とは直交する方向である移動方向ｄ２３（Ｙ軸方向）に沿って、搬送ガイド１１０ｕ上の開口Ａ１内を双方向へ移動可能に構成されている。このような可動磁気ヘッド２１Ｂの移動動作は、前述した駆動部２３（図３）によって制御されるようになっている。
【００６０】
なお、このような可動磁気ヘッド２１Ｂは、本開示における「第２の読取ヘッド」の一具体例に対応している。また、上記した移動方向ｄ２３（Ｙ軸方向）は、本開示における「第３の方向」の一具体例に対応している。
【００６１】
ここで、情報読取機構２内に、このような固定磁気ヘッド２１Ａおよび可動磁気ヘッド２１Ｂの２種類の磁気ヘッドが設けられているのは、以下の理由によるものである。すなわち、まず、小切手ＣＫ（束小切手ＣＫＢ）の受入口１０Ａ１への挿入状態（表裏の向きや、幅方向の向きの状態）等に関わらず、挿入されて搬送路Ｐ２上を搬送されてきた小切手ＣＫの磁気情報Ｉｍを確実に読み取るためには、小切手ＣＫの幅方向に移動可能な可動磁気ヘッド２１Ｂが必要となる。
【００６２】
そこで、本実施の形態の情報読取機構２では、図４に示したように、固定磁気ヘッド２１Ａおよび可動磁気ヘッド２１Ｂの２種類の磁気ヘッドが設けられている。これにより、小切手ＣＫが基準面Ｓ１側への幅寄せ処理がなされた状態で搬送路Ｐ２上を搬送されてきたときに、磁気情報Ｉｍの読み取り動作が以下のように行われるようになっている。すなわち、基準面Ｓ１側に位置する磁気情報Ｉｍについては、固定磁気ヘッド２１Ａが読み取り動作を担当する。一方、この固定磁気ヘッド２１ＡによるＹ軸方向の読み取り可能範囲を超えた位置の（固定磁気ヘッド２１Ａの配置位置と比べ、Ｙ軸方向に沿って基準面Ｓ１の反対側に位置する）磁気情報Ｉｍについては、可動磁気ヘッド２１Ｂが移動することで読み取り動作を担当している。
【００６３】
（可動搬送ガイド２２Ｂ）
可動搬送ガイド２２Ｂは、前述した搬送ガイド１１０ｕ，１１０ｄと同様に平板状の形状を有しており、小切手ＣＫの搬送を案内する部材である。ただし、この可動搬送ガイド２２Ｂは、搬送ガイド１１０ｕ，１１０ｄとは異なり、上記した可動磁気ヘッド２１Ｂとともに開口Ａ１内を移動可能に構成されている。具体的には、この例では図４に示したように、可動磁気ヘッド２１Ｂの移動方向ｄ２３（Ｙ軸方向）に沿って、可動搬送ガイド２２Ｂもまた、開口Ａ１内を双方向へ移動可能となっている。このような可動搬送ガイド２２Ｂは、この例では図４に示したように、Ｙ軸方向（移動方向ｄ２３）に沿って、可動磁気ヘッド２１Ｂの双方側（基準面Ｓ１側および基準面Ｓ１とは反対側）に配置されている。
【００６４】
（駆動部２３）
駆動部２３は、前述したように、可動磁気ヘッド２１Ｂを移動方向ｄ２３に沿って移動させる動作を行う部分であり、各種方式のアクチュエータを用いて構成されている。
【００６５】
ここで、これまでに説明した、情報読取機構２、撮像部１１７ｕ、固定磁石１１８Ａ，１１８Ｂおよび制御部１６が、本開示における「情報読取装置」の一具体例に対応している。また、搬送路Ｐ１，Ｐ３、バンドル部１０Ａ、アライナ部１０Ｂ、エスクロ部１２、リトラクト部１３、スタッカ部１４１，１４２および切替部１５１，１５２が、本開示における「媒体処理部」（この例では、小切手ＣＫに関する処理を行う部分）の一具体例に対応している。ただし、これらの搬送路Ｐ１，Ｐ３、バンドル部１０Ａ、アライナ部１０Ｂ、エスクロ部１２、リトラクト部１３、スタッカ部１４１，１４２および切替部１５１，１５２のうちの選択された任意の一部分が、本開示における「媒体処理部」に対応するようにしてもよい。
【００６６】
［Ｄ．媒体幅情報Ｉｗの構成］
続いて、図５を参照して、本実施の形態において用いられる、小切手ＣＫについての媒体幅情報Ｉｗの構成例について説明する。図５は、本実施の形態に係る媒体幅情報Ｉｗの一例を、模式的に表したものである。
【００６７】
まず、本実施の形態の媒体幅情報Ｉｗは、前述したように、小切手ＣＫが搬送路Ｐ２において搬送方向ｄ２１に沿って搬送されているとき（前述した入金読取処理時）に、スキャナ部１１内の撮像部１１７ｕによって検知される情報である。また、この媒体幅情報Ｉｗは、小切手ＣＫにおけるＹ軸方向に沿った長さ（図２に示した媒体幅Ｌ２）を示す情報である。そして、詳細は後述するが、制御部１６はこの媒体幅情報Ｉｗを用いて、可動磁気ヘッド２１Ｂの移動方向ｄ２３への移動動作を制御する。
【００６８】
具体的には、制御部１６は、このようにして検知された媒体幅情報Ｉｗに基づいて求められる移動量（移動方向ｄ２３への移動量）に従って、可動磁気ヘッド２１Ｂの移動方向ｄ２３への移動動作を制御する。より具体的には、制御部１６は、撮像部１１７ｕにより検知された媒体幅情報Ｉｗを記憶（保存）しておくと共に、記憶されている媒体幅情報Ｉｗに基づいて、そのような移動量を求める（算出する）ようになっている。
【００６９】
ここで、図５（Ａ）に示したように、本実施の形態の媒体幅情報Ｉｗは、以下のような構成となっている。すなわち、媒体幅情報Ｉｗは、撮像部１１７ｕにより検知された複数枚の小切手ＣＫごとの媒体幅Ｌ２（Ｗ）の情報である、複数の要素情報Ｉｗ［０］〜Ｉｗ［ｎ−１］と、これら複数の要素情報Ｉｗ［０］〜Ｉｗ［ｎ−１］についてのインデックス情報Ｉｎｄｅｘ（ｎ）とにより構成されている。そして、制御部１６は、これらの複数の要素情報Ｉｗ［０］〜Ｉｗ［ｎ−１］とインデックス情報Ｉｎｄｅｘ（ｎ）とを、互いに関連付けて記憶するようになっている。媒体幅情報Ｉｗがこのような構成（インデックス情報Ｉｎｄｅｘ（ｎ）を用いた構成）となっているのは、本実施の形態の小切手処理装置１では、複数枚の小切手ＣＫが、搬送路Ｐ１，Ｐ２，Ｐ３上を連続して搬送されるようになっているからである。
【００７０】
なお、上記したインデックス情報Ｉｎｄｅｘ（ｎ）におけるインデックス番号のサイズ「ｎ」（要素情報の最大個数）は、例えば、以下のように設定されている。すなわち、例えば、受入口１０Ａ１から入金可能な小切手ＣＫの最大枚数、あるいは、エスクロ部１２内のドラム１２０（テープ）における物理的なサイズから算出される最大枚数に対して、所定の余裕度を加算した枚数に設定されている。この余裕度は、例えば、受入口１０Ａ１において他の小切手ＣＫと一緒につられて入金されてしまう小切手ＣＫの枚数などを考慮して設定されるようになっている。
【００７１】
媒体幅情報Ｉｗがこのような構成となっていることで、本実施の形態では、この媒体幅情報Ｉｗが以下のようにして利用されるようになっている。すなわち、まず、撮像部１１７ｕは、上記したような複数枚の小切手ＣＫごとに、媒体幅情報Ｉｗ（各要素情報Ｉｗ［０］〜Ｉｗ［ｎ−１］を構成する媒体幅Ｌ２（Ｗ）の情報）を検知する。また、制御部１６は、複数枚の小切手ＣＫごとの要素情報Ｉｗ［０］〜Ｉｗ［ｎ−１］に基づいて、搬送方向ｄ２２に沿って連続して搬送される複数枚の小切手ＣＫごとに、可動磁気ヘッド２１Ｂの移動方向ｄ２３への移動動作を制御する。具体的には、制御部１６は、記憶（保存）されている複数の要素情報Ｉｗ［０］〜Ｉｗ［ｎ−１］およびインデックス情報Ｉｎｄｅｘ（ｎ）を用いて、可動磁気ヘッド２１Ｂの移動方向ｄ２３への移動動作を制御するようになっている。なお、このような制御部１６による制御処理（可動磁気ヘッド２１Ｂの移動動作の制御処理等）の詳細については、後述する。
【００７２】
ここで、このような媒体幅情報Ｉｗは、本開示における「媒体長情報」の一具体例（「シート状媒体」における「媒体長」の一例として、小切手ＣＫの媒体幅Ｌ２（Ｗ）が用いられている場合の例）に対応している。また、複数の要素情報Ｉｗ［０］〜Ｉｗ［ｎ−１］は、本開示における「複数の要素情報」の一具体例に対応している。
【００７３】
なお、例えば図５（Ｂ）に示したｎ＝５の場合の例では、媒体幅情報Ｉｗは、以下のような構成となっている。すなわち、この例ではｎ＝５であることから、インデックス情報Ｉｎｄｅｘ（ｎ）がＩｎｄｅｘ（５）となっている。また、この例では、複数の要素情報Ｉｗ［０］〜Ｉｗ［ｎ−１］の内容は、以下のようになっている。
・要素情報Ｉｗ［０］（１枚目の小切手ＣＫの媒体幅Ｌ２の情報）＝（１００）
・要素情報Ｉｗ［１］（２枚目の小切手ＣＫの媒体幅Ｌ２の情報）＝（１１０）
・要素情報Ｉｗ［２］（３枚目の小切手ＣＫの媒体幅Ｌ２の情報）＝  （９０）
・要素情報Ｉｗ［３］（４枚目の小切手ＣＫの媒体幅Ｌ２の情報）＝（１２０）
・要素情報Ｉｗ［４］（５枚目の小切手ＣＫの媒体幅Ｌ２の情報）＝（１４０）
・要素情報Ｉｗ［５］〜Ｉｗ［ｎ−１］＝（００）
【００７４】
［動作および作用・効果］
（Ｅ．小切手処理装置１の基本動作）
この小切手処理装置１では、以下のようにして、利用者との間で、小切手ＣＫの入金取引に関する各種処理が行われる。
【００７５】
（入金読取処理）
すなわち、図１に示したように、小切手ＣＫ（束小切手ＣＫＢ）が挿入方向ｄ０に沿って受入口１０Ａ１へ挿入されると、まず、搬送路Ｐ１，Ｐ２（搬送方向ｄ１，ｄ２１）に沿った、小切手ＣＫの入金読取処理が行われる。
【００７６】
この入金読取処理では、受入口１０Ａ１から挿入された束小切手ＣＫＢは、図１に示したように、まず、搬送路Ｐ１上を搬送方向ｄ１に沿って搬送される。この際に束小切手ＣＫＢは、分離部１０Ａ２によって１枚ずつの小切手ＣＫに分離されることで、複数枚の小切手ＣＫがそれぞれ、連続的に搬送路Ｐ１上を搬送方向ｄ１に沿って搬送される。このようにして分離された各小切手ＣＫは、アライナ部１０Ｂにおいて、前述した基準面Ｓ１側への幅寄せ処理がなされる。具体的には、小切手ＣＫの幅方向（Ｙ軸方向）に沿った基準面Ｓ１側へ向けて、小切手ＣＫが寄せて配置される処理が行われる。
【００７７】
このようにして、図１に示したように、搬送路Ｐ１上を小切手ＣＫが切替部１５１の位置まで搬送されてくると、切替部１５１は以下のような切り替え動作を行う。すなわち、切替部１５１は、搬送路Ｐ１上を搬送方向ｄ１に沿って搬送されてきた小切手ＣＫが、搬送路Ｐ２上を搬送方向ｄ２１に沿って搬送されるように、切り替え動作を行う。これにより、搬送路Ｐ１の後方からスキャナ部１１を経由してエスクロ部１２へ向けて、図１に示した搬送方向ｄ２１に沿って、搬送路Ｐ２上を小切手ＣＫが搬送される。
【００７８】
この際にスキャナ部１１は、搬送路Ｐ２上を搬送方向ｄ２１に沿って搬送されてきた小切手ＣＫの両面（表面および裏面）をそれぞれ撮像して、画像データを生成すると共に、この小切手ＣＫから磁気情報Ｉｍを読み取る。なお、このようにして得られた画像データおよび磁気情報Ｉｍの読み取り結果はそれぞれ、制御部１６へと供給される。
【００７９】
ここで、このスキャナ部１１では、具体的には以下のようにして、磁気情報Ｉｍの読み取り動作等が行われる。すなわち、図３に示したように、まず、スキャナ部１１へと搬送されてきた小切手ＣＫは、搬送ガイド１１０ｕ，１１０ｄにより、Ｘ軸方向（搬送方向ｄ２１）への搬送が案内される。また、この際に、搬送ローラ対１１１Ａ，１１１Ｂ，１１１Ｃ，１１１Ｄ，１１１Ｅはそれぞれ、搬送路Ｐ２上を搬送方向ｄ２１に沿って、小切手ＣＫを搬送させる。
【００８０】
ここで、このような入金読取処理の実行中には、撮像部１１７ｕ，１１７ｄがそれぞれ、搬送路Ｐ２上を搬送方向ｄ２１に沿って搬送されてきた小切手ＣＫについて、その表面および裏面を撮像することで、上記した画像データを生成する。また、磁気トリガセンサ１１５Ａによる検知光の受光結果をトリガとして、磁気ヘッド１１６（固定磁気ヘッド２１Ａおよび可動磁気ヘッド２１Ｂ）による、小切手ＣＫ上の磁気情報Ｉｍの読み取り動作が行われる。
【００８１】
このようにして、スキャナ部１１での画像データの生成動作および磁気情報Ｉｍの読み取り動作がなされると、図１に示したように、小切手ＣＫは引き続き、搬送路Ｐ２上を搬送方向ｄ２１に沿ってエスクロ部１２へと搬送される。このエスクロ部１２では、搬送されてきた小切手ＣＫが一時的に保留（収納）される。以上により、小切手ＣＫの入金読取処理が終了となる。
【００８２】
続いて、このような小切手ＣＫの入金読取処理が終了すると、取得された画像データや磁気情報Ｉｍに基づく内容が、例えば表示部等に表示されると共に、利用者に対して、小切手ＣＫの入金取引を継続するのか否かについての問い合わせがなされる。
【００８３】
（返却処理）
ここで、利用者からの操作部等への操作に基づいて、小切手ＣＫの入金取引を中止する旨の指示を受けた場合、小切手処理装置１では、以下のような小切手ＣＫの利用者への返却処理が行われる。すなわち、図１を参照すると、エスクロ部１２に保留されている小切手ＣＫが、搬送路Ｐ２および搬送路Ｐ１上をそれぞれ、搬送方向ｄ２２（搬送方向ｄ２１の反対方向）および搬送方向ｄ１の反対方向へと搬送されることで、受入口１０Ａ１から利用者へと返却される。
【００８４】
なお、このような返却処理の際には、例えば、スキャナ部１１において、画像データの生成動作や磁気情報Ｉｍの読み取り動作等は行われないようにしてもよい。また、このようにして受入口１０Ａ１へと返却された小切手ＣＫが、例えば前述したように、所定時間が経過しても利用者によって取り出されないような場合には、その小切手ＣＫはリトラクト部１３内へと収納される。具体的には図１に示したように、そのような所定の場合において、受入口１０Ａ１から搬送路Ｐ１および切替部１５１，１５２を介して搬送されてきた小切手ＣＫが、搬送方向ｄ４に沿ってリトラクト部１３内に収納される。
【００８５】
（収納処理）
一方、利用者からの操作部等への操作に基づいて、小切手ＣＫの入金取引を継続する旨の指示を受けた場合、小切手処理装置１では、以下のような小切手ＣＫのスタッカ部１４１，１４２内への収納処理が行われる。すなわち、図１に示したように、まず、エスクロ部１２に保留されている小切手ＣＫが、搬送路Ｐ２上を搬送方向ｄ２２に沿って、切替部１５１へ向けて搬送される。
【００８６】
ここで、このような収納処理の際には、搬送路Ｐ２上のスキャナ部１１において、例えば前述したように、画像データの生成動作はなされる一方、磁気情報Ｉｍの読み取り動作は行われないようにしてもよい。具体的には、この際にスキャナ部１１では、搬送路Ｐ２上を搬送方向ｄ２２に沿って搬送されてきた小切手ＣＫに対して、取引結果等を示す情報を付与すると共に、そのような情報の付与後の小切手ＣＫを撮像して画像データを生成し、制御部１６へと供給する。より具体的には、図３に示したように、スタンプ押印部１１９Ａがそのような情報を表すスタンプを小切手ＣＫ上に押印したり、プリンタ１１９Ｂがそのような情報を表す文字や記号等を印刷したりすることで、取引結果等を示す情報が小切手ＣＫに付与される。
【００８７】
なお、このような収納処理の実行中には、印字トリガセンサ１１５Ｂによる検知光の受光結果をトリガとして、上記した情報の付与動作（プリンタ１１９Ｂによる印字動作や、スタンプ押印部１１９Ａによる押印動作）が行われる。
【００８８】
このようにして、スキャナ部１１での上記した情報の付与動作および画像データの生成動作がなされた後、図１に示したように、小切手ＣＫが搬送路Ｐ２上を切替部１５１の位置まで搬送されてくる。すると、切替部１５１は、搬送路Ｐ２上を搬送方向ｄ２２に沿って搬送されてきた小切手ＣＫが、搬送路Ｐ３上を搬送方向ｄ３に沿って搬送されるように、切り替え動作を行う。これにより、搬送路Ｐ３上をスタッカ部１４１，１４２へ向けて、小切手ＣＫが搬送される。そして、これらのスタッカ部１４１またはスタッカ部１４２では、搬送されてきた小切手ＣＫがその内部に集積した状態で収納される。以上により、小切手ＣＫの収納処理が終了となる。
【００８９】
（Ｆ．スキャナ部１１における読み取り動作）
続いて、図６および図７を参照して、スキャナ部１１（情報読取機構２）における、小切手ＣＫからの磁気情報Ｉｍの読み取り動作について、詳細に説明する。
【００９０】
まず、例えば図６に示したように、小切手ＣＫが、前述した基準面Ｓ１側への幅寄せ処理がなされた状態で、搬送路Ｐ２上を搬送方向ｄ２１に沿って搬送されてくると、情報読取機構２では、この小切手ＣＫ上の磁気情報Ｉｍの読み取り動作が、以下のようにして行われる。すなわち、基準面Ｓ１側に位置する磁気情報Ｉｍについては、固定磁気ヘッド２１Ａにおいて読み取り動作が行われる。一方、この固定磁気ヘッド２１ＡによるＹ軸方向の読み取り可能範囲を超えた位置の（Ｙ軸方向に沿って基準面Ｓ１の反対側に位置する）磁気情報Ｉｍについては、可動磁気ヘッド２１Ｂが移動することで読み取り動作が行われる。なお、この図６の例では、小切手ＣＫにおいて、Ｙ軸方向に沿った基準面Ｓ１の反対側に磁気情報Ｉｍが配置されていることから、可動磁気ヘッド２１Ｂを用いて読み取り動作が行われるようになっている。
【００９１】
一方、例えば図７に示したように、小切手ＣＫが、基準面Ｓ１側への幅寄せ処理がなされた状態で、搬送路Ｐ２上を搬送方向ｄ２２に沿って搬送されてきた場合（例えば、前述した小切手ＣＫの返却処理や収納処理の実行中）、以下のようになる。すなわち、この場合には、例えば、磁気情報Ｉｍの読み取り動作が行われずに、小切手ＣＫが搬送方向ｄ２２に沿って搬送される。なお、このような搬送方向ｄ２２に沿った小切手ＣＫの搬送の際における、スキャナ部１１（情報読取機構２）での詳細動作については、後述する。
【００９２】
（Ｇ．制御部１６による制御処理の詳細について）
続いて、本実施の形態における制御処理（制御部１６による可動磁気ヘッド２１Ｂの移動制御等）について、比較例と比較しつつ詳細に説明する。
【００９３】
（比較例の制御処理）
最初に、図８〜図１０を参照して、比較例に係るスキャナ部１０１に対する制御処理（比較例に係る制御部１０６による可動磁気ヘッド２１Ｂの移動制御等）について説明する。
【００９４】
図８は、比較例に係る制御処理の一例（前述した入金読取処理時における制御部１０６による制御処理例）を、流れ図で表したものである。つまり、小切手ＣＫが、搬送路Ｐ１，Ｐ２上を搬送方向ｄ１，ｄ２１に沿って搬送される際の制御処理例に対応している。
【００９５】
なお、この図８に示した制御処理例では、前述した図６の例と同様に、可動磁気ヘッド２１Ｂを用いて、小切手ＣＫにおける磁気情報Ｉｍの読み取り動作を行う場合について説明する。
【００９６】
この制御処理例では、まず、制御部１０６は、バンドル部１０Ａにおいて小切手ＣＫを１枚ずつ分離させ、その分離した小切手ＣＫを、スキャナ部１１内の撮像部１１７ｕまで搬送させる（図８のステップＳ１００）。次いで、制御部１０６は、例えば、前述した磁気トリガセンサ１１５Ａや撮像部１１７ｕなどを利用して、小切手ＣＫの到来を検知する（ステップＳ１０１）。ここで、小切手ＣＫの到来がまだ検知されていない場合（ステップＳ１０１：Ｎ）、再びステップＳ１０１へと戻る。
【００９７】
一方、小切手ＣＫの到来が検知された場合（ステップＳ１０１：Ｙ）、次に制御部１０６は、撮像部１１７ｕにおいて、媒体幅情報Ｉｗ（媒体幅Ｌ２の情報）の検知が完了したのか否かを判定する（ステップＳ１０２）。媒体幅情報Ｉｗの検知が完了していないと判定された場合（ステップＳ１０２：Ｎ）、再びステップＳ１０２へと戻る。一方、媒体幅情報Ｉｗの検知が完了したと判定された場合（ステップＳ１０２：Ｙ）、次に制御部１６は、このようにして検知された媒体幅情報Ｉｗ（媒体幅Ｌ２の情報）に基づいて、可動磁気ヘッド２１Ｂの移動方向ｄ２３への移動量を算出する（ステップＳ１０３）。そして、制御部１０６は、駆動部２３を用いて、小切手ＣＫにおける磁気情報Ｉｍの読み取り位置まで、可動磁気ヘッド２１Ｂを移動方向ｄ２３に沿って移動させる（ステップＳ１０４）。
【００９８】
次いで、この可動磁気ヘッド２１Ｂによる磁気情報Ｉｍの読み取り動作等が行われた後、制御部１０６は、この小切手ＣＫをエスクロ部１２まで搬送させて、エスクロ部１２内に一時的に保留（収納）させる（ステップＳ１０５）。そして、制御部１０６は、バンドル部１０Ａにおける全ての小切手ＣＫが分離されて処理されたのか否かについて、判定を行う（ステップＳ１０６）。全ての小切手ＣＫが分離されたわけではないと判定された場合（ステップＳ１０６：Ｎ）、再びステップＳ１００へと戻ることになる。一方、全ての小切手ＣＫが分離されたと判定された場合（ステップＳ１０６：Ｙ）、図８に示した一連の制御処理例が終了となる。
【００９９】
なお、この図８に示した制御処理例では、小切手ＣＫを１枚ずつ処理する場合について説明したが、例えば、複数枚の小切手ＣＫについて並行処理を行って連続的に処理を行うようにしてもよい。
【０１００】
次に、図９は、比較例に係る制御処理の他の例（前述した返却処理時または収納処理時における制御部１０６による制御処理例）を、流れ図で表したものである。つまり、小切手ＣＫが、搬送路Ｐ２上を搬送方向ｄ２２に沿って搬送される際の制御処理例に対応している。
【０１０１】
この制御処理例では、まず、制御部１０６は、駆動部２３を用いて、可動磁気ヘッド２１Ｂを移動方向ｄ２３に沿って、所定の退避位置（例えば後述する図１０（Ａ）参照）まで移動させる（図９のステップＳ２０１）。次に、制御部１０６は、エスクロ部１２内に収納されている複数枚の小切手ＣＫを１枚ずつ分離させ、その分離した小切手ＣＫを、スキャナ部１１を経由して切替部１５１の手前まで搬送させる（ステップＳ２０２）。そして、制御部１０６は、利用者からの操作部等への操作に基づいて、小切手ＣＫの入金取引を継続するのか否か（小切手ＣＫが受付可能であるのか否か）の判定を行う（ステップＳ２０３）。
【０１０２】
ここで、小切手ＣＫの入金取引を継続する（小切手ＣＫが受付可能である）旨の指示を受けたと判定された場合（ステップＳ２０３：Ｙ）、制御部１０６は、その小切手ＣＫについて、前述した収納処理を行う。すなわち、制御部１０６は、その小切手ＣＫをスタッカ部１４１またはスタッカ部１４２まで搬送させる（ステップＳ２０４）。なお、その後は、後述するステップＳ２０６へと進むことになる。
【０１０３】
一方、小切手ＣＫの入金取引を中止する（小切手ＣＫが受付可能ではない）旨の指示を受けたと判定された場合（ステップＳ２０３：Ｎ）、制御部１０６は、その小切手ＣＫについて、前述した返却処理を行う。すなわち、制御部１０６は、その小切手ＣＫをバンドル部１０Ａまで搬送させる（ステップＳ２０５）。なお、その後は、以下説明するステップＳ２０６へと進むことになる。
【０１０４】
そして、制御部１０６は、エスクロ部１２内に収納されている全ての小切手ＣＫが分離されて処理されたのか否かについて、判定を行う（ステップＳ２０６）。全ての小切手ＣＫが分離されたわけではないと判定された場合（ステップＳ２０６：Ｎ）、再びステップＳ２０２へと戻ることになる。一方、全ての小切手ＣＫが分離されたと判定された場合（ステップＳ２０６：Ｙ）、図９に示した一連の制御処理例が終了となる。
【０１０５】
なお、この図９に示した制御処理例においても、小切手ＣＫを１枚ずつ処理する場合について説明したが、例えば、複数枚の小切手ＣＫについて並行処理を行って連続的に処理を行うようにしてもよい。
【０１０６】
ここで、このような比較例に係る制御処理例（図８および図９に示した制御処理例）では、小切手ＣＫが搬送路Ｐ２上を搬送方向ｄ２２に沿って搬送される際（図９参照）に、例えば、以下のような問題が生じるおそれがある。
【０１０７】
すなわち、まず、例えば図１０（Ａ）に模式的に示したように、小切手ＣＫが搬送路Ｐ２上を搬送方向ｄ２２に沿って搬送される際には、この比較例では、可動磁気ヘッド２１Ｂが、小切手ＣＫを避けた退避位置に移動される（図９のステップＳ２０１参照）。これは、以下の理由によるものである。つまり、まず、小切手ＣＫが搬送路Ｐ２上を搬送方向ｄ２１に沿って搬送される際には、撮像部１１７ｕを用いて小切手ＣＫの媒体幅情報Ｉｗを検知し（図８のステップＳ１０２参照）、この媒体幅情報Ｉｗを利用して可動磁気ヘッド２１Ｂを磁気情報Ｉｍの読み取り位置に移動させている（図８のステップＳ１０４参照）。ところが、搬送方向ｄ２２への搬送の際には、撮像部１１７ｕが磁気ヘッド１１６の後方側（下流側）に位置することになるため、この手法を適用できない。したがって、この比較例では、例えば図１０（Ａ）に示したように、小切手ＣＫが磁気ヘッド１１６へ突入したときに、基準面Ｓ１側に位置する固定磁気ヘッド２１Ａにのみ小切手ＣＫが当たることになる（図１０（Ａ）中の符号Ｐ１０１Ａ参照）。その結果、例えば、この小切手ＣＫに折れ部分などがあると（小切手ＣＫが折れ状態にあると）、例えばその折れ部分が搬送ガイド１１０ｕ上の開口Ａ１内へと入り込んだりして（図１０（Ａ）中の符号Ｐ１０２参照）、小切手ＣＫのジャム状態（紙詰まり状態）が発生するおそれがある。
【０１０８】
一方、例えば図１０（Ｂ）に模式的に示した位置に、可動磁気ヘッド２１Ｂを配置させたような場合（図１０（Ａ）に示した退避位置の代わりに、固定磁気ヘッド２１Ａ寄りの位置に配置させた場合）、この比較例では、以下のようになる。すなわち、この場合、後述する本実施の形態の場合とは異なり、固定磁気ヘッド２１Ａおよび可動磁気ヘッド２１Ｂが、小切手ＣＫの幅方向（Ｙ軸方向）に沿って、不均等に配置されていることになる。このため、小切手ＣＫが磁気ヘッド１１６へ突入したときに、基準面Ｓ１側に位置する固定磁気ヘッド２１Ａへの突入抵抗が相対的に高くなることから、小切手ＣＫにおける幅方向でのバランスが、保たれにくくなる（図１０（Ｂ）中の符号Ｐ１０１Ａ，Ｐ１０１Ｂ参照）。その結果、小切手ＣＫにおいてスキュー状態（斜め配置状態）が生じ易くなることから（図１０（Ｂ）中の符号Ｐ１０３参照）、この場合においても、小切手ＣＫのジャム状態（紙詰まり状態）が発生するおそれがある。
【０１０９】
このようにして比較例に係るスキャナ部１０１では、小切手ＣＫが搬送路Ｐ２上を搬送方向ｄ２２に沿って搬送される際に、小切手ＣＫの折れ状態やスキュー状態等による、小切手ＣＫのジャム状態が発生するおそれがある。その結果、この比較例では、小切手ＣＫから磁気情報Ｉｍを読み取る際の、利便性が損なわれるおそれがある。また、小切手ＣＫのジャム状態の発生により、動作の信頼性が低下するおそれもある。
【０１１０】
（本実施の形態の制御処理）
そこで本実施の形態では、制御部１６において、前述した小切手ＣＫの媒体幅情報Ｉｗを用いて以下のような制御処理（可動磁気ヘッド２１Ｂの移動制御等）を行うことで、上記比較例における問題を解決するようにしている。
【０１１１】
図１１は、本実施の形態に係る制御処理の一例（前述した入金読取処理時における制御部１６による制御処理例）を、流れ図で表したものである。つまり、小切手ＣＫが、搬送路Ｐ１，Ｐ２上を搬送方向ｄ１，ｄ２１に沿って搬送される際の制御処理例に対応している。
【０１１２】
なお、この図１１に示した制御処理例においても、前述した図６の例と同様に、可動磁気ヘッド２１Ｂを用いて、小切手ＣＫにおける磁気情報Ｉｍの読み取り動作を行う場合について説明する。また、図８に示した比較例に係る制御処理の一例と同一の内容のステップについては、同一の符号を付し、適宜説明を省略する。
【０１１３】
この制御処理例では、まず、制御部１６は、記憶（保存）されている媒体幅情報Ｉｗの内容をクリア（初期化）する。具体的には、制御部１６は、前述したインデックス情報Ｉｎｄｅｘ（ｎ）の内容を初期化する（図１１のステップＳ１０）と共に、前述した要素情報Ｉｗ［０］〜Ｉｗ［ｎ−１］の内容をそれぞれ、初期化する（ステップＳ１１）。
【０１１４】
次に、制御部１６は、バンドル部１０Ａにおいて小切手ＣＫを１枚ずつ分離させ、その分離した小切手ＣＫを、スキャナ部１１内の撮像部１１７ｕまで搬送させる（ステップＳ１００）。次いで、制御部１６は、例えば、前述した磁気トリガセンサ１１５Ａや撮像部１１７ｕなどを利用して、小切手ＣＫの到来を検知する（ステップＳ１０１）。ここで、小切手ＣＫの到来がまだ検知されていない場合（ステップＳ１０１：Ｎ）、再びステップＳ１０１へと戻る。
【０１１５】
一方、小切手ＣＫの到来が検知された場合（ステップＳ１０１：Ｙ）、次に制御部１６は、撮像部１１７ｕにおいて、媒体幅情報Ｉｗ（媒体幅Ｌ２の情報）の検知が完了したのか否かを判定する（ステップＳ１０２）。媒体幅情報Ｉｗの検知が完了していないと判定された場合（ステップＳ１０２：Ｎ）、再びステップＳ１０２へと戻る。一方、媒体幅情報Ｉｗの検知が完了したと判定された場合（ステップＳ１０２：Ｙ）、次に制御部１６は、このようにして検知された媒体幅情報Ｉｗ（媒体幅Ｌ２の情報）に基づいて、可動磁気ヘッド２１Ｂの移動方向ｄ２３への移動量を算出する（ステップＳ１０２）。そして、制御部１６は、駆動部２３を用いて、小切手ＣＫにおける磁気情報Ｉｍの読み取り位置まで、可動磁気ヘッド２１Ｂを移動させる（ステップＳ１０４）。
【０１１６】
次いで、この可動磁気ヘッド２１Ｂによる磁気情報Ｉｍの読み取り動作等が行われた後、制御部１６は、この小切手ＣＫをエスクロ部１２まで搬送させて、エスクロ部１２内に一時的に保留（収納）させる（ステップＳ１０５）。
【０１１７】
続いて、制御部１６は、撮像部１１７ｕにおいて検知された媒体幅情報Ｉｗ（要素情報Ｉｗ［０］〜Ｉｗ［ｎ−１］のうちの、該当するインデックス番号に対応する要素情報の内容）を、記憶（保存）する（ステップＳ１２）。また、制御部１６は、次の小切手ＣＫの処理に対応させるため、インデックス情報Ｉｎｄｅｘ（ｎ）におけるインデックス番号に対して、「＋１」の加算を行う（ステップＳ１３）。すなわち、例えば、その時点でのインデックス番号が「ｍ（ｍ：０以上の整数）」であった場合、制御部１６において「＋１」の加算を行うことで、インデックス番号を「ｍ＋１」とする。
【０１１８】
そして、制御部１６は、バンドル部１０Ａにおける全ての小切手ＣＫが分離されて処理されたのか否かについて、判定を行う（ステップＳ１０６）。全ての小切手ＣＫが分離されたわけではないと判定された場合（ステップＳ１０６：Ｎ）、再びステップＳ１００へと戻ることになる。一方、全ての小切手ＣＫが分離されたと判定された場合（ステップＳ１０６：Ｙ）、図１１に示した一連の制御処理例が終了となる。
【０１１９】
次に、図１２は、本実施の形態に係る制御処理の他の例（前述した返却処理時または収納処理時における制御部１６による制御処理例）を、流れ図で表したものである。つまり、小切手ＣＫが、搬送路Ｐ２上を搬送方向ｄ２２に沿って搬送される際の制御処理例に対応している。なお、図９に示した比較例に係る制御処理の他の例と同一の内容のステップについては、同一の符号を付し、適宜説明を省略する。
【０１２０】
この制御処理例では、まず、制御部１６は、エスクロ部１２内に収納されている複数枚の小切手ＣＫを１枚ずつ分離させ、その分離した小切手ＣＫを、可動磁気ヘッド２１Ｂの動作位置（スキャナ部１１内の情報読取機構２の配置領域）まで搬送させる（ステップＳ２１）。
【０１２１】
次いで、制御部１６は、記憶（保存）されている媒体幅情報Ｉｗにおける要素情報Ｉｗ［０］〜Ｉｗ［ｎ−１］から、該当するインデックス番号に対応する要素情報の内容（その時点での小切手ＣＫに対応する媒体幅Ｌ２（Ｗ）の情報）を取得する（ステップＳ２２）。具体的には、例えば、インデックス情報Ｉｎｄｅｘ（ｎ）におけるその時点でのインデックス番号が「ｍ（ｍ：１以上の整数）」であった場合、制御部１６は、要素情報Ｉｗ［ｍ−１］の内容（媒体幅Ｌ２の情報）を取得する。
【０１２２】
この際、エスクロ部１２における小切手ＣＫの収納方式や、エスクロ部１２内からの小切手ＣＫの繰り出し方向等に応じて、該当するインデックス番号の読み取り順序が異なることになる。具体的には、例えば図１に示したような、テープ巻き取り方式のエスクロ部１２において、小切手ＣＫの収納方向と繰り出し方向とが逆方向となっている場合、以下のようになる。すなわち、制御部１６は、媒体幅情報Ｉｗにおける複数の要素情報Ｉｗ［０］〜Ｉｗ［ｎ−１］について、記録（保存）された順序とは逆の順序に従って読み取ることで、該当するインデックス番号に対応する要素情報の内容（媒体幅Ｌ２の情報）を取得する。これは、インデックス番号が「１」，「２」，…，「ｎ−１」の順序にて、対応する小切手ＣＫが、エスクロ部１２内のドラム１２０の周側面上に順次巻き付けられる一方、最後に巻き付けられた小切手ＣＫから順次繰り出される（インデックス番号が「ｎ−１」，「ｎ−２」，…「１」の順序にて繰り出される）ためである。
【０１２３】
続いて、制御部１６は、ステップＳ２２において取得された要素情報の内容（媒体幅Ｌ２の情報）に基づいて、可動磁気ヘッド２１Ｂの移動方向ｄ２３への移動量を算出する（ステップＳ２３）。そして、制御部１６は、駆動部２３を用いて、小切手ＣＫにおける磁気情報Ｉｍの読み取り位置まで、可動磁気ヘッド２１Ｂを移動させる（ステップＳ２４）。
【０１２４】
具体的には、本実施の形態では、制御部１６は、固定磁気ヘッド２１Ａおよび可動磁気ヘッド２１Ｂがそれぞれ、小切手ＣＫの幅方向（Ｙ軸方向）に沿った両端付近に配置されることとなるように、可動磁気ヘッド２１Ｂの移動方向ｄ２３への移動動作を制御する（後述する図１３参照）。
【０１２５】
そして、制御部１６は、次の小切手ＣＫの処理に対応させるため、インデックス情報Ｉｎｄｅｘ（ｎ）におけるインデックス番号に対して、「−１」の減算を行う（ステップＳ２５）。すなわち、例えば、その時点でのインデックス番号が「ｍ（ｍ：１以上の整数）」であった場合、制御部１６において「−１」の減算を行うことで、インデックス番号を「ｍ−１」とする。
【０１２６】
なお、例えば、先頭に位置する小切手ＣＫや、前方に位置する小切手ＣＫなどが、可動磁気ヘッド２１Ｂを通過完了しているような場合には、以下のようにしてもよい。すなわち、例えば、エスクロ部１２における小切手ＣＫの分離処理前、あるいは、分離処理と同時に、可動磁気ヘッド２１Ｂの移動動作を開始するようにしてもよい。
【０１２７】
続いて、制御部１６は、切替部１５１の手前まで、小切手ＣＫを搬送させる（ステップＳ２６）。そして、制御部１６は、利用者からの操作部等への操作に基づいて、小切手ＣＫの入金取引を継続するのか否か（小切手ＣＫが受付可能であるのか否か）の判定を行う（ステップＳ２０３）。
【０１２８】
ここで、小切手ＣＫの入金取引を継続する（小切手ＣＫが受付可能である）旨の指示を受けたと判定された場合（ステップＳ２０３：Ｙ）、制御部１６は、その小切手ＣＫについて、前述した収納処理を行う。すなわち、制御部１６は、その小切手ＣＫをスタッカ部１４１またはスタッカ部１４２まで搬送させる（ステップＳ２０４）。なお、その後は、後述するステップＳ２０６へと進むことになる。
【０１２９】
一方、小切手ＣＫの入金取引を中止する（小切手ＣＫが受付可能ではない）旨の指示を受けたと判定された場合（ステップＳ２０３：Ｎ）、制御部１６は、その小切手ＣＫについて、前述した返却処理を行う。すなわち、制御部１６は、その小切手ＣＫをバンドル部１０Ａまで搬送させる（ステップＳ２０５）。なお、その後は、以下説明するステップＳ２０６へと進むことになる。
【０１３０】
そして、制御部１６は、エスクロ部１２内に収納されている全ての小切手ＣＫが分離されて処理されたのか否かについて、判定を行う（ステップＳ２０６）。全ての小切手ＣＫが分離されたわけではないと判定された場合（ステップＳ２０６：Ｎ）、再びステップＳ２１へと戻ることになる。一方、全ての小切手ＣＫが分離されたと判定された場合（ステップＳ２０６：Ｙ）、図１２に示した一連の制御処理例が終了となる。
【０１３１】
（Ｈ．作用・効果）
このようにして本実施の形態では、制御部１６は、小切手ＣＫが搬送方向ｄ２２に沿って搬送路Ｐ２上を搬送されているときに、以下のようにして、可動磁気ヘッド２１Ｂの移動方向ｄ２３への移動動作を制御する。すなわち、まず、制御部１６は、小切手ＣＫが搬送方向ｄ２１に沿って搬送路Ｐ２上を搬送されているときに検知された、小切手ＣＫの媒体幅情報Ｉｗに基づいて、可動磁気ヘッド２１Ｂの移動方向ｄ２３への移動動作を制御する。そして、制御部１６は、このような媒体幅情報Ｉｗに基づいて、例えば図１３に模式的に示したように、固定磁気ヘッド２１Ａおよび可動磁気ヘッド２１Ｂがそれぞれ、小切手ＣＫの幅方向（Ｙ軸方向）に沿った両端付近に配置されることとなるように、移動動作を制御する。
【０１３２】
これにより本実施の形態では、前述した比較例の場合（図１０（Ａ），図１０（Ｂ）参照）とは異なり、以下のようになる。すなわち、例えば図１３に模式的に示したように、固定磁気ヘッド２１Ａおよび可動磁気ヘッド２１Ｂが、小切手ＣＫの幅方向に沿って略均等に配置されていることから、小切手ＣＫが突入したときの幅方向でのバランスが、保たれ易くなる（図１３中の符号Ｐ１１Ａ，Ｐ１１Ｂ参照）。その結果、小切手ＣＫが搬送路Ｐ２上を搬送方向ｄ２２に沿って搬送される際に、可動磁気ヘッド２１Ｂにおける移動方向ｄ２３（Ｙ軸方向）に沿った配置位置に起因した、小切手ＣＫのジャム状態（紙詰まり状態）の発生が、低減される。具体的には、例えば図１０（Ａ），図１０（Ｂ）にて示したような、小切手ＣＫの折れ状態やスキュー状態等による、小切手ＣＫのジャム状態の発生が、低減される。
【０１３３】
以上のことから、本実施の形態では、例えば前述した比較例の場合と比べ、情報読取装置（情報読取機構２等）を用いて小切手ＣＫから磁気情報Ｉｍを読み取る際の、利便性を向上させることが可能となる。また、小切手ＣＫのジャム状態の発生が抑えられることから、例えば、情報読取装置および小切手処理装置１における動作の信頼性を向上させることも可能となる。
【０１３４】
また、本実施の形態では、複数枚の小切手ＣＫが搬送路Ｐ１，Ｐ２，Ｐ３上を連続して搬送されることから、制御部１６は、複数の要素情報Ｉｗ［０］〜Ｉｗ［ｎ−１］およびインデックス情報Ｉｎｄｅｘ（ｎ）からなる媒体幅情報Ｉｗを用いて、可動磁気ヘッド２１Ｂの移動動作を制御している。このような構成の媒体幅情報Ｉｗを用いて可動磁気ヘッド２１Ｂの移動動作を制御するようにしたので、より効果的な制御を行うことが可能となる。
【０１３５】
なお、例えば図１３中の矢印Ｐ１０で示したように、本実施の形態では、小切手ＣＫが搬送方向ｄ２１に沿って搬送されているときに加え、小切手ＣＫが搬送方向ｄ２２に沿って搬送されているときにおいても、磁気ヘッド１１６による磁気情報Ｉｍの読み取り動作を行うようにしてもよい。このような、搬送路Ｐ２上における双方向の搬送時での磁気情報Ｉｍの読み取り動作は、以下のことを利用している。すなわち、まず、固定磁気ヘッド２１Ａおよび可動磁気ヘッド２１Ｂがそれぞれ、双方向の搬送時において、小切手ＣＫの幅方向（Ｙ軸方向）に沿った両端付近に配置されることを利用している。また、スキャナ部１１内において、固定磁石１１８Ａ，１１８Ｂがそれぞれ、搬送路Ｐ２上における磁気ヘッド１１６（固定磁気ヘッド２１Ａおよび可動磁気ヘッド２１Ｂ）の上流側および下流側の双方に設けられていることも利用している。これらのことを利用することで、小切手ＣＫが搬送方向ｄ２１に沿って搬送されているときと、搬送方向ｄ２２に沿って搬送されているときとの双方の搬送時において、磁気ヘッド１１６による磁気情報Ｉｍの読み取り動作が実現可能となる。
【０１３６】
＜２．変形例＞
続いて、上記実施の形態の変形例について説明する。具体的には、上記実施の形態では、検知した媒体幅情報Ｉｗを記憶して利用する手法の例について説明したのに対し、本変形例では、検知した媒体幅情報Ｉｗから求めた可動磁気ヘッド２１Ｂの移動量情報Ｉｄを記憶して利用する手法の例について説明する。なお、実施の形態における構成要素と同一のものには同一の符号を付し、適宜説明を省略する。
【０１３７】
図１４は、変形例に係る移動量情報Ｉｄの一例を、模式的に表したものである。本変形例の移動量情報Ｉｄは、実施の形態で説明したようにして撮像部１１７ｕにて検知された媒体幅情報Ｉｗに基づいて求められる、可動磁気ヘッド２１Ｂの移動量（移動方向ｄ２３への移動量）を示す情報である。そして、本変形例の制御部１６は、このようにして求められた移動量情報Ｉｄを用いて、可動磁気ヘッド２１Ｂの移動方向ｄ２３への移動動作を制御するようになっている。
【０１３８】
具体的には、制御部１６は、この移動量情報Ｉｄにより規定される移動量（移動方向ｄ２３への移動量）に従って、可動磁気ヘッド２１Ｂの移動方向ｄ２３への移動動作を制御する。より具体的には、制御部１６は、撮像部１１７ｕにより検知された媒体幅情報Ｉｗに基づいて、このような移動量情報Ｉｄを求める（算出する）と共に、求めた移動量情報Ｉｄを記憶（保存）しておくようになっている。
【０１３９】
ここで、図１４に示したように、本変形例の移動量情報Ｉｄは、以下のような構成となっている。すなわち、移動量情報Ｉｄは、複数枚の小切手ＣＫごとの移動量の情報である、複数の要素情報Ｉｄ［０］〜Ｉｄ［ｎ−１］と、これら複数の要素情報Ｉｄ［０］〜Ｉｄ［ｎ−１］についてのインデックス情報Ｉｎｄｅｘ（ｎ）とにより構成されている。そして、制御部１６は、これらの複数の要素情報Ｉｄ［０］〜Ｉｄ［ｎ−１］とインデックス情報Ｉｎｄｅｘ（ｎ）とを、互いに関連付けて記憶するようになっている。移動量情報Ｉｄがこのような構成（インデックス情報Ｉｎｄｅｘ（ｎ）を用いた構成）となっているのは、本変形例においても、複数枚の小切手ＣＫが、搬送路Ｐ１，Ｐ２，Ｐ３上を連続して搬送されるようになっているからである。
【０１４０】
移動量情報Ｉｄがこのような構成となっていることで、本変形例では、この移動量情報Ｉｄが以下のようにして利用されるようになっている。すなわち、まず、撮像部１１７ｕは、上記したような複数枚の小切手ＣＫごとに、媒体幅情報Ｉｗ（媒体幅Ｌ２（Ｗ）の情報）を検知する。また、制御部１６は、複数枚の小切手ＣＫごとの媒体幅Ｌ２に基づいて、これら複数枚の小切手ＣＫごとの移動量（各要素情報Ｉｄ［０］〜Ｉｄ［ｎ−１］を構成する移動量の情報）を求めて記憶しておく。そして、制御部１６は、記憶しておいた複数の要素情報Ｉｄ［０］〜Ｉｄ［ｎ−１］に基づいて、搬送方向ｄ２２に沿って連続して搬送される複数枚の小切手ＣＫごとに、可動磁気ヘッド２１Ｂの移動方向ｄ２３への移動動作を制御する。具体的には、制御部１６は、記憶されている複数の要素情報Ｉｄ［０］〜Ｉｄ［ｎ−１］およびインデックス情報Ｉｎｄｅｘ（ｎ）を用いて、可動磁気ヘッド２１Ｂの移動方向ｄ２３への移動動作を制御するようになっている。
【０１４１】
ここで、このような移動量情報Ｉｄは、本開示における「移動量の情報」の一具体例に対応している。また、複数の要素情報Ｉｄ［０］〜Ｉｄ［ｎ−１］は、本開示における「複数の要素情報」の一具体例に対応している。
【０１４２】
このようにして本変形例においても、上記実施の形態と同様の効果が得られる。すなわち、小切手ＣＫから磁気情報Ｉｍを読み取る際の利便性を向上させることが可能となると共に、動作の信頼性を向上させることも可能となる。
【０１４３】
また、本変形例では、検知された媒体幅情報Ｉｗに基づいて移動量情報Ｉｄを求めると共に、求めた移動量情報Ｉｄを記憶しておくようにしたので、以下のような効果を得ることも可能となる。すなわち、本変形例では上記実施の形態とは異なり、移動量の情報を逐次算出する処理（例えば図１２に示したステップＳ２３の処理）が不要となるため、利便性の更なる向上が図られることになる。
【０１４４】
＜３．その他の変形例＞
以上、実施の形態および変形例を挙げて本開示を説明したが、本開示はこれらの実施の形態等に限定されず、種々の変形が可能である。
【０１４５】
例えば、上記実施の形態等では、媒体処理装置および情報読取装置における各部材の構成（形状、配置、個数等）を具体的に挙げて説明したが、各部材におけるこれらの構成については、上記実施の形態等で説明したものには限られず、他の形状や配置、個数等であってもよい。また、上記実施の形態等で説明した各種パラメータの値や範囲、大小関係等についても、上記実施の形態等で説明したものには限られず、他の値や範囲、大小関係等であってもよい。
【０１４６】
具体的には、例えば、各搬送路（搬送ガイド）や磁気ヘッド、開口等における形状や配置、個数等については、上記実施の形態等で説明したものには限られず、他の形状や配置、個数等であってもよい。また、固定磁石１１８Ｂについては、例えば、搬送方向ｄ２２に沿った搬送時での磁気情報Ｉｍの読み取り動作を行わない場合などには、設けられていないようにしてもよい。更に、媒体幅情報Ｉｗを検知する検知部（撮像部）が、搬送路Ｐ２上において、実施の形態等で説明したように磁気ヘッド１１６よりも搬送方向ｄ２１に沿った上流側（前方側）にのみ配置されているのではなく、下流側（後方側）にのみ配置されているようにしてもよい。
【０１４７】
また、上記実施の形態等では、磁気ヘッド（固定磁気ヘッド２１Ａおよび可動磁気ヘッド２１Ｂの２種類の磁気ヘッド）を用いた情報の読み取り方式を例に挙げて説明したが、この例には限られない。すなわち、例えば、磁気ヘッドとは異なる読み取り方式（磁気方式以外の読み取り方式）を利用して、読取ヘッド（情報読取部）を構成するようにしてもよい。
【０１４８】
更に、上記実施の形態等では、磁気情報Ｉｍの記録方法として、小切手ＣＫ上に磁気インクを利用した文字（磁気インク文字）を印刷する方法を用いた場合の例を挙げて説明したが、この例には限られない。すなわち、例えば、小切手ＣＫ上に磁気テープを貼り付ける記録方法等を用いてもよいし、更には、磁気方式以外（例えば電気方式等）を用いて、シート媒体上に情報を記録するようにしてもよい。
【０１４９】
加えて、上記実施の形態等では、制御部１６による制御処理の手法について具体例を挙げて説明したが、上記実施の形態等で挙げた手法の例には限られず、制御部１６において他の手法を用いて制御処理を行うようにしてもよい。具体的には、例えば、媒体幅情報Ｉｗおよび移動量情報Ｉｄ以外の他の情報を用いて、制御部１６による可動磁気ヘッド２１Ｂの移動制御等を行うようにしてもよい。
【０１５０】
また、上記実施の形態等では、テープ巻き取り方式のエスクロ部１２において、小切手ＣＫの収納方向と繰り出し方向とが逆方向となっている場合について説明した。すなわち、この場合において、制御部１６が、媒体幅情報Ｉｗにおける複数の要素情報Ｉｗ［０］〜Ｉｗ［ｎ−１］について、記録された順序とは逆の順序に従って読み取って利用する場合について説明した。しかしながら、この場合の例には限られず、エスクロ部１２における小切手ＣＫの収納方式や、エスクロ部１２内からの小切手ＣＫの繰り出し方向等に応じて、該当するインデックス番号の読み取り順序を異ならせるようにしてもよい。すなわち、例えば、テープ巻き取り方式のエスクロ部１２において、小切手ＣＫの収納方向と繰り出し方向とが同じ方向となっている場合には、制御部１６において、記録された順序と同じ順序に従って要素情報の読み取りを行うことになる。また、例えば、テープ巻き取り方式以外の方式（例えば積み上げ方式）からなるエスクロ部においても、小切手ＣＫの繰り出し方向等に応じて、制御部１６において、記録された順序と同じ順序または逆の順序に従って、要素情報の読み取りを行うようにしてもよい。
【０１５１】
更に、上記実施の形態等では、受入口１０Ａ１において、複数枚の小切手ＣＫを束ねた束小切手ＣＫＢが挿入できるようにすると共に、分離部１０Ａ２において、その束小切手ＣＫＢを１枚ずつの小切手ＣＫに分離する場合について説明したが、この例には限られない。すなわち、例えば、受入口１０Ａ１において、小切手ＣＫが１枚ずつ挿入されるようにしてもよい。
【０１５２】
加えて、上記実施の形態等では、小切手ＣＫの搬送方向ｄ２１，ｄ２２と、可動磁気ヘッド２１Ｂの移動方向ｄ２３とが、互いに直交している場合の例を挙げて説明したが、この例には限られない。すなわち、例えば、これらの搬送方向ｄ２１，ｄ２２と移動方向ｄ２３とが、互いに非直交状態で交差しているようにしてもよい。
【０１５３】
また、上記実施の形態等で説明した一連の処理は、ハードウェア（回路）で行われるようにしてもよいし、ソフトウェア（プログラム）で行われるようにしてもよい。ソフトウェアで行われるようにした場合、そのソフトウェアは、各機能をコンピュータにより実行させるためのプログラム群で構成される。各プログラムは、例えば、上記コンピュータに予め組み込まれて用いられてもよいし、ネットワークや記録媒体から上記コンピュータにインストールして用いられてもよい。
【０１５４】
更に、上記実施の形態等では、本開示における「媒体処理装置」の一具体例として、小切手ＣＫの入金取引に関する各種処理を行う小切手処理装置１を例に挙げて説明したが、この例には限られず、小切手ＣＫ以外のシート状媒体についても、本開示を適用することが可能である。すなわち、例えば、商品券等の小切手以外の有価証券、あるいは、通帳や紙幣など、種々のシート状媒体（紙葉状の媒体）を取り扱う種々の媒体処理装置についても、本開示を適用することが可能である。
【０１５５】
加えて、これまでに説明した各種の例を、任意の組み合わせで適用させるようにしてもよい。
【０１５６】
なお、本明細書中に記載された効果はあくまで例示であって限定されるものではなく、また、他の効果があってもよい。
【０１５７】
また、本開示は、以下のような構成を取ることも可能である。
（１）
情報が記録されたシート状媒体が、第１の方向、および、前記第１の方向の反対方向である第２の方向へと搬送される搬送路と、
前記搬送路における前記第１および第２の方向と交差する第３の方向に沿った端部領域に固定配置され、前記シート状媒体から前記情報を読み取る第１の読取ヘッドと、
前記搬送路において前記第３の方向に沿って移動可能に構成され、前記シート状媒体から前記情報を読み取る第２の読取ヘッドと、
前記シート状媒体が前記搬送路において前記第１の方向へ搬送されているときに、前記シート状媒体における前記第３の方向に沿った長さを示す媒体長情報を検知する検知部と、
前記シート状媒体が前記搬送路において前記第２の方向へ搬送されているときに、前記検知部において検知された前記媒体長情報に基づいて、前記第１および第２の読取ヘッドがそれぞれ、前記シート状媒体における前記第３の方向に沿った両端付近に配置されることとなるように、前記第２の読取ヘッドの前記第３の方向への移動動作を制御する制御部と
を備えた情報読取装置。
（２）
前記制御部は、前記媒体長情報に基づいて求められる、前記第３の方向への移動量に従って、前記第２の読取ヘッドの前記第３の方向への移動動作を制御する
上記（１）に記載の情報読取装置。
（３）
前記制御部は、
前記検知部により検知された前記媒体長情報を記憶しておくと共に、
記憶されている前記媒体長情報に基づいて、前記第３の方向への移動量を求める
上記（２）に記載の情報読取装置。
（４）
前記制御部は、
前記検知部により検知された前記媒体長情報に基づいて、前記第３の方向への移動量を求めると共に、
求められた前記第３の方向への移動量の情報を記憶しておく
上記（２）に記載の情報読取装置。
（５）
前記第１および第２の読取ヘッドはそれぞれ、
前記シート状媒体が前記第１の方向へ搬送されるときに加えて、前記第２の方向へ搬送されるときにおいても、
前記シート状媒体における前記第３の方向に沿った両端付近に配置されることを利用して、前記シート状媒体から前記情報を読み取る
上記（１）ないし（４）のいずれかに記載の情報読取装置。
（６）
前記シート状媒体に記録されている前記情報が、磁気情報であり、
前記シート状媒体における前記磁気情報に対して着磁を行うための着磁部材が、前記搬送路における前記第１および第２の読取ヘッドの上流側および下流側の双方に、更に設けられている
上記（５）に記載の情報読取装置。
（７）
複数の前記シート状媒体が前記搬送路を連続して搬送される場合、
前記検知部が、複数の前記シート状媒体ごとに、前記媒体長情報を検知すると共に、
前記制御部は、複数の前記シート状媒体ごとの前記媒体長情報に基づいて、前記第２の方向に連続して搬送される複数の前記シート状媒体ごとに、前記第２の読取ヘッドの前記第３の方向への移動動作を制御する
上記（１）ないし（６）のいずれかに記載の情報読取装置。
（８）
前記制御部は、
前記検知部において検知された複数の前記シート状媒体ごとの前記媒体長情報に対応する複数の要素情報と、前記複数の要素情報についてのインデックス情報とを、関連付けて記憶しておくと共に、
記憶されている前記複数の要素情報および前記インデックス情報を用いて、前記第２の読取ヘッドの前記第３の方向への移動動作を制御する
上記（７）に記載の情報読取装置。
（９）
前記シート状媒体が、前記搬送路を前記第１の方向に沿って、前記第１および第２の読取ヘッドの下流側に配置された、テープ巻き取り方式のエスクロ部まで搬送されるように構成されており、
前記制御部は、
前記シート状媒体が、前記搬送路を前記第２の方向に沿って、前記テープ巻き取り方式のエスクロ部から搬送されてきたときに、
前記複数の要素情報をそれぞれ、記録された順序とは逆の順序に従って読み取って利用することで、前記第２の読取ヘッドの前記第３の方向への移動動作を制御する
上記（８）に記載の情報読取装置。
（１０）
前記検知部が、前記搬送路において、前記第１および第２の読取ヘッドよりも前記第１の方向に沿った上流側に配置されている
上記（１）ないし（９）のいずれかに記載の情報読取装置。
（１１）
前記第３の方向が、前記第１および第２の方向と直交している
上記（１）ないし（１０）のいずれかに記載の情報読取装置。
（１２）
情報が記録されたシート状媒体から前記情報を読み取る情報読取装置と、
前記シート状媒体に関する処理を行う媒体処理部と
を備え、
前記情報読取装置は、
前記シート状媒体が、第１の方向、および、前記第１の方向の反対方向である第２の方向へと搬送される搬送路と、
前記搬送路における前記第１および第２の方向と交差する第３の方向に沿った端部領域に固定配置され、前記シート状媒体から前記情報を読み取る第１の読取ヘッドと、
前記搬送路において前記第３の方向に沿って移動可能に構成され、前記シート状媒体から前記情報を読み取る第２の読取ヘッドと、
前記シート状媒体が前記搬送路において前記第１の方向へ搬送されているときに、前記シート状媒体における前記第３の方向に沿った長さを示す媒体長情報を検知する検知部と、
前記シート状媒体が前記搬送路において前記第２の方向へ搬送されているときに、前記検知部において検知された前記媒体長情報に基づいて、前記第１および第２の読取ヘッドがそれぞれ、前記シート状媒体における前記第３の方向に沿った両端付近に配置されることとなるように、前記第２の読取ヘッドの前記第３の方向への移動動作を制御する制御部と
を有する媒体処理装置。
【符号の説明】
【０１５８】
１…小切手処理装置、１０Ａ…バンドル部、１０Ａ１…受入口、１０Ａ２…分離部、１０Ｂ…アライナ部、１００…フレーム、１１…スキャナ部、１１０ｕ，１１０ｄ…搬送ガイド、１１０Ｓ…基準面ガイド、１１１Ａ，１１１Ｂ，１１１Ｃ，１１１Ｄ，１１１Ｅ…搬送ローラ対、１１２…駆動ローラ、１１３…従動ローラ、１１４…スプリング、１１５Ａ…磁気トリガセンサ、１１５Ｂ…印字トリガセンサ、１１６…磁気ヘッド、１１７ｕ，１１７ｄ…撮像部、１１８Ａ，１１８Ｂ…固定磁石、１１９Ａ…スタンプ押印部、１１９Ｂ…プリンタ、１２…エスクロ部、１２０…ドラム、１３…リトラクト部、１４１，１４２…スタッカ部、１５１，１５２…切替部、１６…制御部、２…情報読取機構、２１Ａ…固定磁気ヘッド、２１Ｂ…可動磁気ヘッド、２２Ｂ…可動搬送ガイド、２３…駆動部、ＣＫ…小切手、ＣＫＢ…束小切手、Ｌ１…距離、Ｌ２（Ｗ）…媒体幅、Ｌ３…媒体長、Ｉｍ…磁気情報、Ｉｗ…媒体幅情報、Ｉｄ…移動量情報、Ｉｗ［０］〜Ｉｗ［ｎ−１］，Ｉｄ［０］〜Ｉｄ［ｎ−１］…要素情報、Ｉｎｄｅｘ（ｎ）…インデックス情報、Ｐ１，Ｐ２，Ｐ３…搬送路、ｄ０…挿入方向、ｄ１，ｄ２１，ｄ２２，ｄ３，ｄ４…搬送方向、ｄ２３…移動方向、Ｓ１…基準面、Ａ１…開口。
【図１】
2018205795.tif 000003
【図２】
2018205795.tif 000004
【図３】
2018205795.tif 000005
【図４】
2018205795.tif 000006
【図５】
2018205795.tif 000007
【図６】
2018205795.tif 000008
【図７】
2018205795.tif 000009
【図８】
2018205795.tif 000010
【図９】
2018205795.tif 000011
【図１０】
2018205795.tif 000012
【図１１】
2018205795.tif 000013
【図１２】
2018205795.tif 000014
【図１３】
2018205795.tif 000015
【図１４】
2018205795.tif 000016